(57)【特許請求の範囲】
【請求項１】
機体フレーム（１）の左右方向の一側に作物を収穫して搬送する引抜搬送装置（２４）と、引抜搬送装置（２４）から作物を引き継いで搬送し、搬送終端側を上下動自在に構成した選別搬送装置（８７）と、選別搬送装置（８７）の搬送終端側に下端部を回動支点として取り付けた吊下げ支持部材（９５，９５）を備えた根菜類収穫機において、
吊下げ支持部材（９５，９５）の下端部に設けた回動支点を中心に吊下げ支持部材（９５，９５）を回動操作する操作部材（１２０）を、該操作部材（１２０）の基部を吊下げ支持部材（９５，９５）の基部に固着させて設け、
収容部材（９７）を吊り下げる吊下げ部材（９８，９８）を収容部材（９７）の左右両側部に引っ掛けて保持する構成として、収容部材（９７）の左右一側が左右他側よりも下方に位置する傾斜姿勢で吊下げ支持部材（９５，９５）に回動自在に支持させ、
選別搬送装置（８７）の下部に入り込む収容部材（９７）の機体内側の前後中間部を吊り下げて弛みを防止する補助フック（１０５）を選別搬送装置（８７）の搬送終端側に設け、
吊下げ部材（９８，９８）の傾斜姿勢に沿って収容部材（９７）を傾斜姿勢で配置し、
選別搬送装置（８７）の搬送終端側が上昇すると吊下げ支持部材（９５，９５）が下方回動して吊下げ部材（９８，９８）の傾斜角度を小さくし、収容部材（９７）の開口部を左右他側方向に上方傾斜した姿勢から左右両側の高さが略同じとなる略水平姿勢まで移動する選別搬送装置（８７）に対する吊下げ支持部材（９５，９５）の回動機構（Ａ）を設けた
ことを特徴とする根菜類収穫機。
【請求項２】
機体フレーム（１）の左右方向の一側に作物を収穫して搬送する引抜搬送装置（２４）と、引抜搬送装置（２４）から作物を引き継いで搬送し、搬送終端側を上下動自在に構成した選別搬送装置（８７）と、選別搬送装置（８７）の搬送終端側に下端部を回動支点として取り付けた吊下げ支持部材（９５，９５）を備えた根菜類収穫機において、
収容部材（９７）を吊り下げる吊下げ部材（９８，９８）を収容部材（９７）の左右両側部に引っ掛けて保持する構成として、収容部材（９７）の左右一側が左右他側よりも下方に位置する傾斜姿勢で吊下げ支持部材（９５，９５）に回動自在に支持させ、
選別搬送装置（８７）に回動自在に支持された吊下げ支持部材（９５，９５）の下端部に連結アーム（１３５）の上端部を固着し、
機体フレーム（１）の左右方向に摺動自在な摺動部材（１２１）を選別搬送装置（８７）に取り付け、該摺動部材（１２１）には連結アーム（１３５）の下端部を回動自在に連結し、
摺動部材（１２１）を摺動させる駆動モータ（１２２）と駆動モータ（１２２）の入切及び回転方向を切り替える切替部材（１２４）を選別搬送装置（８７）に取り付け、
吊下げ部材（９８，９８）の傾斜姿勢に沿って収容部材（９７）を傾斜姿勢で配置し、
選別搬送装置（８７）の搬送終端側が上昇すると吊下げ支持部材（９５，９５）が下方回動して吊下げ部材（９８，９８）の傾斜角度を小さくし、収容部材（９７）の開口部を左右他側方向に上方傾斜した姿勢から左右両側の高さが略同じとなる略水平姿勢まで移動する選別搬送装置（８７）に対する吊下げ支持部材（９５，９５）の回動機構（Ａ）を設けた
ことを特徴とする根菜類収穫機。
【請求項３】
選別搬送装置（８７）に対する吊下げ支持部材（９５，９５）の回動機構（Ａ）は、選別搬送装置（８７）と吊下げ支持部材（９５，９５）との間に設けた吊下げ支持部材（９５，９５）の姿勢を保持する抵抗体（９４，９４）を有し、
選別搬送装置（８７）を上方回動させた際に、抵抗体（９４，９４）の抵抗力よりも吊下げ部材（９８，９８）に吊るした収容部材（９７）の重量が大きいと、吊下げ支持部材（９５，９５）が下方回動する構成とした
ことを特徴とする請求項１または２記載の根菜類収穫機。
【請求項４】
機体フレーム（１）の前後方向に設けられた一対の吊下げ部材（９８，９８）の機体フレーム（１）の左右方向の両側に収容部材（９７）の開口端部を係止する係止部材（９９ｆ，９９ｆ）と、該係止部材（９９ｆ，９９ｆ）を取り付ける取付孔部（９９ａ，９９ｂ）をそれぞれ設け、
左右一側の取付孔部（９９ａ）を上下方向下向きに形成すると共に、左右他側の取付孔部（９９ｂ）を上下方向上向きに形成した
ことを特徴とする請求項１から３のいずれか１項に記載の根菜類収穫機。
【請求項５】
選別搬送装置（８７）を上昇または下降させる昇降部材（８８）と、
昇降部材（８８）を昇降操作する昇降操作部材（９２ａ，９２ｂ）を選別搬送装置（８７）の下側近傍の機体フレーム（１）上に配置し、
選別搬送装置（８７）よりも後方で且つ昇降操作部材（９２ａ，９２ｂ）の近傍に補助作業座席（９１）を配置し、
選別搬送装置（８７）の機体前側で且つ下側に昇降操作部材（９２ａ，９２ｂ）の摺動部材（１２１）と駆動モータ（１２２）を配置し、
補助作業座席（９１）の近傍に昇降操作部材（９２ａ，９２ｂ）の切替部材（１２４）を配置した
ことを特徴とする請求項１から４のいずれか１項に記載の根菜類収穫機。
【請求項６】
吊下げ部材（９８，９８）を固定側吊下げ部材（９８ａ，９８ａ）と回動側吊下げ部材９８ｂ，９８ｂ）から構成し、
固定側吊下げ部材（９８ａ，９８ａ）と回動側吊下げ部材（９８ｂ，９８ｂ）の接合部を合わせて吊下げ支持部材（９５，９５）に装着し、
固定側吊下げ部材（９８ａ，９８ａ）と回動側吊下げ部材（９８ｂ，９８ｂ）の接合部に抵抗体（１４０）を設け、
該抵抗体（１４０）の抵抗力を、上方回動させた回動側吊下げ部材（９８ｂ，９８ｂ）が収容部材（９７）に収容される作物の量に応じて下方回動する大きさとした
ことを特徴とする請求項１から５のいずれか１項に記載の根菜類収穫機。
【発明の詳細な説明】
【技術分野】
【０００１】
本発明は、作物を圃場から引き抜き収穫する根菜類収穫機に関するものである。
【背景技術】
【０００２】
従来の根菜類収穫機としては、引抜搬送装置で作物を圃場から引き抜き、選別搬送コンベアで搬送しながら補助作業者が選別を行い、収容部材に作物を投入する技術が存在する。
【先行技術文献】
【特許文献】
【０００３】
【特許文献１】特許第４２３９９２０号公報
【発明の概要】
【発明が解決しようとする課題】
【０００４】
特許文献１に記載された根菜類収穫機では、収容袋を吊り下げるハンガーは選別搬送コンベアの上下動に連動して上下動するため、選別搬送コンベアを下げると収容袋が縮んで収容袋全体に弛みが生じ、この弛みの分作物の収容スペースが減ってしまうという問題がある。  
この弛みを解消するには、定期的に機体の走行や選別搬送コンベアの駆動を停止させてから選別搬送コンベアを上昇させ、収容袋を吊り上げて収容スペースを確保しなければならず、その間、作物の収穫作業や収穫した作物の選別作業が停止してしまうため、作業能率が低下してしまうという問題がある。  
本発明の課題は、上記従来技術の問題点を解消して、収容部材に弛みが生じ難くして作業能率のよい根菜収穫機を提供することである。
【課題を解決するための手段】
【０００５】
本発明の上記課題は次の構成によって解決される。 
請求項１記載の発明は、機体フレーム（１）の左右方向の一側に作物を収穫して搬送する引抜搬送装置（２４）と、引抜搬送装置（２４）から作物を引き継いで搬送し、搬送終端側を上下動自在に構成した選別搬送装置（８７）と、選別搬送装置（８７）の搬送終端側に下端部を回動支点として取り付けた吊下げ支持部材（９５，９５）を備えた根菜類収穫機において、吊下げ支持部材（９５，９５）の下端部に設けた回動支点を中心に吊下げ支持部材（９５，９５）を回動操作する操作部材（１２０）を、該操作部材（１２０）の基部を吊下げ支持部材（９５，９５）の基部に固着させて設け、収容部材（９７）を吊り下げる吊下げ部材（９８，９８）を収容部材（９７）の左右両側部に引っ掛けて保持する構成として、収容部材（９７）の左右一側が左右他側よりも下方に位置する傾斜姿勢で吊下げ支持部材（９５，９５）に回動自在に支持させ、選別搬送装置（８７）の下部に入り込む収容部材（９７）の機体内側の前後中間部を吊り下げて弛みを防止する補助フック（１０５）を選別搬送装置（８７）の搬送終端側に設け、吊下げ部材（９８，９８）の傾斜姿勢に沿って収容部材（９７）を傾斜姿勢で配置し、選別搬送装置（８７）の搬送終端側が上昇すると吊下げ支持部材（９５，９５）が下方回動して吊下げ部材（９８，９８）の傾斜角度を小さくし、収容部材（９７）の開口部を左右他側方向に上方傾斜した姿勢から左右両側の高さが略同じとなる略水平姿勢まで移動する選別搬送装置（８７）に対する吊下げ支持部材（９５，９５）の回動機構（Ａ）を設けたことを特徴とする根菜類収穫機である。
【０００６】
請求項２記載の発明は、機体フレーム（１）の左右方向の一側に作物を収穫して搬送する引抜搬送装置（２４）と、引抜搬送装置（２４）から作物を引き継いで搬送し、搬送終端側を上下動自在に構成した選別搬送装置（８７）と、選別搬送装置（８７）の搬送終端側に下端部を回動支点として取り付けた吊下げ支持部材（９５，９５）を備えた根菜類収穫機において、収容部材（９７）を吊り下げる吊下げ部材（９８，９８）を収容部材（９７）の左右両側部に引っ掛けて保持する構成として、収容部材（９７）の左右一側が左右他側よりも下方に位置する傾斜姿勢で吊下げ支持部材（９５，９５）に回動自在に支持させ、選別搬送装置（８７）に回動自在に支持された吊下げ支持部材（９５，９５）の下端部に連結アーム（１３５）の上端部を固着し、機体フレーム（１）の左右方向に摺動自在な摺動部材（１２１）を選別搬送装置（８７）に取り付け、該摺動部材（１２１）には連結アーム（１３５）の下端部を回動自在に連結し、摺動部材（１２１）を摺動させる駆動モータ（１２２）と駆動モータ（１２２）の入切及び回転方向を切り替える切替部材（１２４）を選別搬送装置（８７）に取り付け、吊下げ部材（９８，９８）の傾斜姿勢に沿って収容部材（９７）を傾斜姿勢で配置し、選別搬送装置（８７）の搬送終端側が上昇すると吊下げ支持部材（９５，９５）が下方回動して吊下げ部材（９８，９８）の傾斜角度を小さくし、収容部材（９７）の開口部を左右他側方向に上方傾斜した姿勢から左右両側の高さが略同じとなる略水平姿勢まで移動する選別搬送装置（８７）に対する吊下げ支持部材（９５，９５）の回動機構（Ａ）を設けたことを特徴とする根菜類収穫機である。
【０００７】
請求項３記載の発明は、選別搬送装置（８７）に対する吊下げ支持部材（９５，９５）の回動機構（Ａ）は、選別搬送装置（８７）と吊下げ支持部材（９５，９５）との間に設けた吊下げ支持部材（９５，９５）の姿勢を保持する抵抗体（９４，９４）を有し、選別搬送装置（８７）を上方回動させた際に、抵抗体（９４，９４）の抵抗力よりも吊下げ部材（９８，９８）に吊るした収容部材（９７）の重量が大きいと、吊下げ支持部材（９５，９５）が下方回動する構成としたことを特徴とする請求項１または２記載の根菜類収穫機である。
【０００８】
請求項４記載の発明は、機体フレーム（１）の前後方向に設けられた一対の吊下げ部材（９８，９８）の機体フレーム（１）の左右方向の両側に収容部材（９７）の開口端部を係止する係止部材（９９ｆ，９９ｆ）と、該係止部材（９９ｆ，９９ｆ）を取り付ける取付孔部（９９ａ，９９ｂ）をそれぞれ設け、左右一側の取付孔部（９９ａ）を上下方向下向きに形成すると共に、左右他側の取付孔部（９９ｂ）を上下方向上向きに形成したことを特徴とする請求項１から３のいずれか１項に記載の根菜類収穫機である。
【０００９】
請求項５記載の発明は、選別搬送装置（８７）を上昇または下降させる昇降部材（８８）と、昇降部材（８８）を昇降操作する昇降操作部材（９２ａ，９２ｂ）を選別搬送装置（８７）の下側近傍の機体フレーム（１）上に配置し、選別搬送装置（８７）よりも後方で且つ昇降操作部材（９２ａ，９２ｂ）の近傍に補助作業座席（９１）を配置し、
選別搬送装置（８７）の機体前側で且つ下側に昇降操作部材（９２ａ，９２ｂ）の摺動部材（１２１）と駆動モータ（１２２）を配置し、補助作業座席（９１）の近傍に昇降操作部材（９２ａ，９２ｂ）の切替部材（１２４）を配置したことを特徴とする請求項１から４のいずれか１項に記載の根菜類収穫機である。
【００１０】
請求項５記載の発明は、吊下げ部材（９８，９８）を固定側吊下げ部材（９８ａ，９８ａ）と回動側吊下げ部材９８ｂ，９８ｂ）から構成し、固定側吊下げ部材（９８ａ，９８ａ）と回動側吊下げ部材（９８ｂ，９８ｂ）の接合部を合わせて吊下げ支持部材（９５，９５）に装着し、固定側吊下げ部材（９８ａ，９８ａ）と回動側吊下げ部材（９８ｂ，９８ｂ）の接合部に抵抗体（１４０）を設け、該抵抗体（１４０）の抵抗力を、上方回動させた回動側吊下げ部材（９８ｂ，９８ｂ）が収容部材（９７）に収容される作物の量に応じて下方回動する大きさとしたことを特徴とする請求項１から５のいずれか１項に記載の根菜類収穫機である。
【発明の効果】
【００１１】
請求項１記載の発明によれば、吊下げ部材９８，９８を左右一側が左右他側よりも下方に位置する傾斜姿勢で配置したことにより、収容部材９７を吊下げ部材９８，９８に取り付けると収容部材９７も左右一側が左右他側よりも下方に位置する傾斜姿勢となり、収容部材９７の左右他側に弛みが生じにくいため、選別搬送装置８７から収容部材９７に投入された作物が弛んだ部分に入り込んで収容部材９７の総収容量を減らしてしまうことが防止されるので、収容部材９７を交換する頻度が減少し、作業能率が従来より向上する。
【００１２】
また、作物が収容部材９７の弛みに進入することによる総収容量の減少を防止するために、収容部材９７に作物が一定量以上収容された際に選別搬送装置８７の搬送終端側を余分に上方回動させて収容部材９７の弛みを解消し、その後、選別搬送装置８７の搬送終端側を若干下降させる操作が必要なくなるので、作物の収穫作業中に停止することがなく作業能率が従来より向上すると共に、後方を振り返って操縦者が選別搬送装置８７の操作を行う必要がなく、作業者の労力が軽減される。
【００１３】
さらに、操作部材１２０を操作することにより、収容部材９７の弛みを手動で取り除くことができるので、選別搬送装置８７から収容部材９７に投入された作物が弛んだ部分に入り込んで収容部材９７の総収容量を減らしてしまうことが防止されるので、収容部材９７を交換する頻度が減少し、作業能率が従来より向上する。
【００１４】
そして、収容部材９７の左右他側の上下長さが収穫作業開始時から左右一側の上下長さよりも長いことにより、作物が選別搬送装置８７上を転がり、勢いがついた状態で選別搬送装置８７から飛び出しても、収容部材９７の左右他側で作物と受け止めることができるので、落下の衝撃で作物が傷付くことが防止されて作物の商品価値が低下することが防止されると共に、圃場に落下した作物を作業者が回収する必要がなく、作業者の労力が軽減される。
【００１５】
さらに、選別搬送装置８７の搬送終端側を上昇させると吊下げ支持部材９５，９５が下方回動して吊下げ部材９８，９８の傾斜角度を小さくし、収容部材９７の開口部を左右他側方向に上方傾斜した姿勢から左右両側の高さが略同じとなる略水平姿勢まで移動させる構成としたことにより、選別搬送装置８７の搬送終端側を上昇させると弛んだ状態の収容部材９７の左右一側が上方に引き上げられるため、収容部材９７の左右一側の上下長さが長くなり、作物の収容量が増加する。
【００１６】
また、収容部材９７の左右一側に生じた弛み内に作物が進入していても、吊下げ部材９８，９８の左右一側が大きく持ち上げられることにより、弛みの解消に伴い作物は収容部材９７に収容された作物の存在する側に移動するので、収容部材９７の収容量が低下することが防止され、収容部材９７の交換頻度が下がり、作業能率が従来より向上する。
【００１７】
請求項２記載の発明によれば、請求項１記載の発明の効果の中で、「操作部材１２０を操作する」ことによる効果を除いて、請求項１記載の発明の効果と同じ効果があり、さらに、駆動モータ１２２の回転により摺動部材１２１が左右方向に摺動すると吊下げ支持部材９５，９５が上昇または下降する構成としたことにより、作業者は収容部材９７の弛みを取る際に手作業（人力）で吊下げ支持部材９５，９５を動かす必要がなくなるので、作業者の労力が軽減される。
【００１８】
請求項３記載の発明によれば、請求項１または２記載の発明の効果に加えて、選別搬送装置８７と吊下げ支持部材９５，９５との間に吊下げ支持部材９５，９５の姿勢を保持する抵抗体９４，９４を設けたことにより、吊下げ支持部材９５，９５は抵抗体９４，９４により作業者が設定した位置に固定されるため、収穫作業開始時に収容部材９７を確実に傾斜姿勢にすることができ、選別搬送装置８７を転がって勢いのついたまま排出されても作物は収容部材９７の左右他側で受け止められる。そのため、落下の衝撃で作物が傷付くことが防止されて作物の商品価値が低下することを防ぐと共に、圃場に落下した作物を作業者が回収する必要がなくなり、作業者の労力が軽減される。
【００１９】
また、抵抗体９４，９４の抵抗力よりも収容部材９７に収容された作物の重量が大きい場合に選別搬送装置８７を上昇させると、吊下げ支持部材９５，９５が下方回動する構成としたことにより、収容部材９７の収容量を増やすために選別搬送装置８７の搬送終端側を上昇させると吊下げ支持部材９５，９５が下降して吊下げ部材９８，９８の傾斜角度が小さくなり、収容部材９７の収容量が増加する。
【００２０】
請求項４記載の発明によれば、請求項１〜３のいずれかに記載の発明の効果に加えて、吊下げ部材９８，９８の左右一側に形成した上下方向下向きの取付孔部９９ｂと、左右他側に形成した上下方向上向きの取付孔部９９ａとにそれぞれ引掛け部材９９ｆ，９９ｆを設けたことにより、左右一側の引掛け部材９９ｆが左右他側の引掛け部材９９ｆよりも下方に位置するため、左右両側の引掛け部材９９ｆ，９９ｆに収容部材９７を引っ掛けると左右一側から左右他側への傾斜角度が大きくなるので、収容部材９７の上端部から収容した作物が落下しにくく、落下の衝撃で作物が傷付くことを防止でき、商品価値の低下が防止される。また、落下した作物を拾い集める必要がなく、作業者の労力が軽減される。
【００２１】
請求項５記載の発明によれば、請求項１〜４のいずれかに記載の発明の効果に加えて、昇降部材８８を操作する昇降操作部材９２ａ，９２ｂを選別搬送装置８７の下側近傍に設けたことにより、選別搬送装置８７で搬送中の作物を選別する補助作業者がその場から動くことなく昇降操作部材９２ａ，９２ｂを操作することができるので、選別搬送装置８７を昇降させる必要があれば即座に操作することができ、作業能率が従来より向上する。  
また、選別搬送装置８７よりも後方で且つ昇降操作部材９２ａ，９２ｂの近傍に補助作業座席９１を設けたことにより、補助作業者は補助作業座席９１に座ったまま昇降操作部材９２ａ，９２ｂを操作することができるので、長時間の作業を行う場合でも作業者が疲れにくく、作業者の労力が軽減される。
【００２２】
そして、選別搬送装置８７の機体前側で且つ下側に吊下げ支持部材９５，９５の摺動部材１２１と駆動モータ１２２を配置したことにより、補助作業座席９１に作業者が座る際に作業者の足が摺動部材１２１や駆動モータ１２２に接触しないので、作業者が不快感を覚えることがなく作業能率が従来より向上すると共に、摺動部材１２１や駆動モータ１２２に足が接触することがなく、作業の安全性が確保される。  
さらに、補助作業座席９１の近傍に昇降部材８８の昇降動作を昇降操作部材９２ａ，９２ｂにより切り替える切替部材１２４を設けたことにより、作業者は吊下げ支持部材９５，９５を上下動させる必要がある場合、切替部材１２４を操作して収容部材９７の弛み部分をなくすことができるので、作業能率が従来より向上する。
【００２３】
請求項６記載の発明によれば、請求項１〜５のいずれかに記載の発明の効果に加えて、回動側吊下げ部材９８ｂ，９８ｂが上下回動自在であることにより、回動側吊下げ部材９８ｂ，９８ｂを上方回動させると収容部材９７に生じた弛みを取ることができるので、選別搬送装置８７から収容部材９７に投入された作物が弛んだ部分に入り込んで収容部材９７の総収容量を減らしてしまうことが防止されるので、収容部材９７を交換する頻度が減少し、作業能率が従来より向上する。
【００２４】
また、固定側吊下げ部材９８ａ，９８ａと回動側吊下げ部材９８ｂ，９８ｂの接合部に抵抗体１４０を設けたことにより、回動側吊下げ部材９８ｂ，９８ｂを上方回動させると回動した位置で停止するので、回動側吊下げ部材９８ｂ，９８ｂに吊るした収容部材９７が壁となり、選別搬送装置８７の端部から飛び出した作物を収容部材９７で受けることができ、収容部材９７の外に落下した作物を拾う作業が不要となり、作業者の労力が軽減されると共に、落下の衝撃で作物が傷付くことが防止され、作物の商品価値が維持される。 
そして、収容部材９７に作物が収容されて重量が増加すると回動側吊下げ部材９８ｂ，９８ｂが自動的に下降するので、作業者が回動側吊下げ部材９８ｂ，９８ｂを操作する必要がなく、作業能率が従来より向上する。
【図面の簡単な説明】
【００２５】
【図１】本発明の一実施例の根菜類収穫機の左側面図である。
【図２】図１の根菜類収穫機の平面図である。
【図３】図１の選別搬送部の背面図である。
【図４】図１の選別搬送部の平面図である。
【図５】図１の選別搬送コンベアの要部背面図である。
【図６】本発明の一実施例の根菜類収穫機の選別搬送部の背面図である。
【図７】図６の選別搬送部の平面図である。
【図８】図６の選別搬送コンベアの要部背面図である。
【図９】本発明の一実施例の根菜類収穫機の選別搬送部の背面図である。
【図１０】図９の選別搬送部の平面図である。
【図１１】図９の選別搬送コンベアの要部背面図である。
【図１２】本発明の一実施例の根菜類収穫機の吊下げハンガーの平面図（図１２（ａ））と側面図（図１２（ｂ））である。
【図１３】図１の茎葉切断部の側面図である。
【図１４】図１の茎葉切断部の平面図である。
【図１５】図１の茎葉切断部の肩揃え装置の要部平面図である。
【図１６】図１の肩揃え装置の搬送体の平面図（図１６（ａ））、肩揃え装置の搬送体の側面図（図１６（ｂ））、肩揃え装置の搬送体の正面図（図１６（ｃ））である。
【図１７】図１６の肩揃え装置の側面断面図である。
【図１８】図１の回収部の平面図である。
【図１９】図１の回収部の側面図である。
【発明を実施するための形態】
【００２６】
本発明の実施の形態について図面と共に説明する。  
図１の全体側面図と図２の全体平面図に示すように、本実施例の根菜類収穫機の一種である人参収穫機は、機体を走行させる走行部Ａと、操縦者が搭乗する操縦部Ｂと、機体左右一側で圃場から人参を引き抜いて機体後上側に搬送する収穫部Ｃと、該収穫部Ｃから人参を引き継いで機体後方に搬送しながら茎葉部を切断する茎葉切断部Ｄと、茎葉切断部Ｄから落下する人参を受けて人参に残った茎葉部を処理する残葉処理部Ｅと、残葉処理部Ｅから人参を引き継いで人参を機体左右一側から左右他側へと搬送し、搬送中の人参を補助作業者が選別する選別搬送部Ｆと、該選別搬送部Ｆから排出される人参を収容する収容部Ｇとから構成される。  
なお、本実施例においては、図２に示す平面図において、機体の進行方向に対して左側を機体左右一側、機体の進行方向に対して右側を機体左右他側と称する。以下、各部の詳細を具体的に記載する。
【００２７】
まず、走行部Ａの構成について説明する。  
図１、図２に示すように、機体フレーム１の下方に機体前部側の左右駆動スプロケット２，２と機体後部側の左右従動輪３，３と、該左右駆動スプロケット２，２と左右従動輪３，３との間に取り付けた複数の転輪４，４・・・の周りに左右ベルト５，５を巻き掛けて左右のクローラ６Ｌ，６Ｒを構成する。そして、該左右クローラ６Ｌ，６Ｒの左右駆動スプロケット２，２を、エンジン７の動力が伝動されるミッションケース８から左右両側に延出させた左右ドライブシャフト９，９に取り付け、一定の左右間隔を設けて左右クローラ６Ｌ，６Ｒを該機体フレーム１に取り付ける。
【００２８】
次に、操縦部Ｂの構成について説明する。  
図１、図２に示すように、前記機体フレーム１の右側上部に操縦部フレーム１０を取り付け、該操縦部フレーム１０には操縦座席１１を取り付けると共に、機体前側に操縦パネル１２を取り付ける。そして、該操縦パネル１２に機体の前後進及び走行速度を切り替える変速操作レバー１３を取り付けると共に、機体の左右旋回操作及び収穫部Ｃの作業高さを操作する昇降操作レバー１４を取り付ける。  
上記構成により、変速操作レバー１３や昇降操作レバー１４のような、１本で複数の操作を行える操縦部材を設けることによって、機体の操縦が容易になるため操縦者の作業を軽減することができる。
【００２９】
次に、収穫部Ｃの構成について説明する。  
図１、図２で示すように、左右引抜フレーム１５，１５の機体前側に左右従動プーリ１６，１６を回転自在に装着し、機体後側に左右駆動プーリ１７，１７を装着し、該左右従動プーリ１６，１６と左右駆動プーリ１７，１７との間に人参を引き抜き機体後部へと搬送する左右挟持搬送ベルト１８，１８を巻き掛けると共に、複数のテンションローラ１９…によって該左右挟持搬送ベルト１８，１８を張圧し、左右挟持搬送ベルト１８，１８の機体内側面を互いに圧接させて人参の引抜搬送経路を構成する。そして、前記機体フレーム１の上方に左右横軸２１を回動支点として上下方向に回動自在な回動フレーム２０を取り付け、該回動フレーム２０の後端部に前記左右駆動プーリ１７，１７に駆動力を伝動する伝動ケース２２を、回動支点Ｘを中心として上下回動自在に取り付ける。また、前記機体フレーム１と回動フレーム２０とを昇降シリンダ２３で連結し、該昇降シリンダ２３を操縦部Ｂで操作可能に取り付けて引抜搬送装置２４を構成する。
【００３０】
また、該引抜搬送装置２４の前方に人参の茎葉部を引き起こす縦引起し装置２５と、該縦引起し装置２５が引き起した茎葉部を掬い上げる横引起し装置２６と、該横引起し装置２６の前部に設ける分草杆２７と、ハンドル２９を回すと上下伸縮する伸縮ロッド３０の下端部に引抜搬送装置２４の下り過ぎを防止する回転自在なゲージ輪３１と、前記エンジン７の駆動力で回転するシャフト３２の回転によって振動する振動フレーム３３に取り付けた人参の左右の土を振動によって解す左右振動ソイラ３４，３４とを設ける。  
そして、前記引抜搬送経路の下方に引抜搬送装置２４で搬送中の人参のひげ根を切断する尻尾切装置３５を取り付けて、収穫部Ｃを構成する。
【００３１】
上記構成により、機体前側に分草杆２７を備える横引起し装置２６と、縦引起し装置２５を設けることによって、圃場に倒伏した人参の茎葉を掻き上げながら収穫作業ができ、収穫する人参の視認性が従来より向上するので引き抜き位置が合わせやすく、作物の抜き残しが減少するため作業能率が従来より向上する。  
また、人参に左右振動ソイラ３４，３４等が接触して傷付くことを防止できるので、人参の商品価値が従来より向上する。  
そして、ハンドル２９を回すと上下伸縮する伸縮ロッド３０の下端部にゲージ輪３１を設けたことによってゲージ輪３１を圃場面に接地させると、それ以上引抜搬送装置２４が下降しなくなるので、操縦者の操縦ミスや予期せぬ地面の凹凸によって引抜搬送装置２４の下端部が圃場面に接触して破損することが防止される。
【００３２】
さらに、機体フレーム１と左右横軸２１を回動支点として上下方向に回動自在な回動フレーム２０とを昇降シリンダ２３で連結し、昇降シリンダ２３を操縦部Ｂの昇降操作レバー１４を操作することによって伸縮させる構成としたことによって、昇降操作レバー１４の操作により収穫部Ｃ全体の上下高さを調節することができるので、収穫部Ｃの引抜搬送始端部の位置を上下方向に調節するとともに圃場に植生する人参の適切な引き抜き高さに合わせて引抜搬送始端部の位置調節を行え、人参の抜き残しが防止されるので作業能率が向上す従来よりる。  
また、旋回時に収穫部Ｃを上昇させておくと、収穫部Ｃの下端部が圃場に接触しにくくなるため、旋回動作がスムーズに行われて作業能率が従来より向上する。
【００３３】
次に、茎葉切断部Ｄについて説明する。  
図１及び図１３〜図１７で示すように、前記伝動ケース２２に駆動力を伝達する左右の伝動軸３６，３６を取り付け、該左右の伝動軸３６，３６の上部に左右伝動ケース３７，３７を取り付けると共に、該左右の伝動ケース３７，３７内に複数のギアを噛み合わせて構成する左右の第１ギアユニット３８，３８を機体前側に向かって取り付ける。また、前記伝動ケース２２内部の左右の伝動軸３６，３６に左右の第２ギアユニット３９，３９を機体後側に向かって取り付け、該左右の第２ギアユニット３９，３９の後端部に左右の第１出力軸４０，４０を機体上方に向けて軸着する。
【００３４】
そして、前記左右第１ギアユニット３８，３８の前端部に左右の第２出力軸４１，４１を機体下方に向けて軸着し、該左右の第２出力軸４１，４１に左右の位置揃え駆動スプロケット４２，４２を軸着する。さらに、前記左右伝動ケース３７，３７の前下部に側面視Ｌ字型の左右の位置揃えフレーム４３，４３を取り付け、該位置揃えフレーム４３，４３に機体左右方向の孔部４４，４４を形成し、該孔部４４，４４に左右の位置揃え従動スプロケット４５，４５を軸着した左右回転軸４６，４６を取り付ける。また、該位置揃え従動スプロケット４５，４５と位置揃え駆動スプロケット４２，４２との前後間で且つ位置揃え駆動スプロケット４２，４２よりも機体内側位置に左右の位置揃えテンションスプロケット４７，４７を回転自在に取り付ける。さらに、該位置揃えテンションスプロケット４７，４７と位置揃え駆動スプロケット４２，４２と位置揃え従動スプロケット４５，４５とに左右の位置揃えチェーン４８，４８を無端状に巻回する。  
なお、前記位置揃え駆動スプロケット４２，４２は、位置揃え従動スプロケット４５，４５及び位置揃えテンションスプロケット４７，４７よりも小径のものを用いてもよい。
【００３５】
そして、前記伝動ケース３７，３７に左右の受け板４９，４９を前後方向に位置調節可能に取り付け、該受け板４９，４９と位置揃えフレーム４３，４３との間に、前記位置揃え従動スプロケット４５，４５を張圧して位置揃えチェーン４８，４８に生じる弛みを吸収させる左右の張圧バネ５０，５０を取り付ける。該張圧バネ５０，５０は、受け板４９，４９を前後に移動させることにより、位置揃え従動スプロケット４７，４７にかかる張圧力を変更することができ、人参の種類や生育状態、茎葉部の平均的な太さに応じて変更することで、様々な作業条件に対応することができる。
【００３６】
また、前記左右の位置揃えフレーム４３，４３に機体左右方向の孔部４４，４４を形成し、該孔部４４，４４に位置揃え従動スプロケット４５，４５の回転軸４６，４６を貫通させて設けたことにより、位置揃え従動スプロケット４５，４５を左右方向に移動させて位置調節することができるので、非作業時及び茎葉部が通過中でない、あるいは径の小さい茎葉部が通過する際は、位置揃え従動スプロケット４７，４７は張圧バネ５０，５０に押圧されて前側で且つ機体内側方向に向かって押圧され、大径の茎葉部が通過する際には位置揃え従動スプロケット４７，４７は機体外側方向に向かって押圧される構成となり、大径の茎葉部が噛み込まれることを防止でき、噛み込まれた茎葉部を取り除く必要がなく作業能率が従来より向上する。
【００３７】
加えて、位置揃え装置５４Ｌ，５４Ｒの搬送始端側から搬送終端側までの左右間隔が、大径の茎葉部が通過して負荷がかかったときのみ略直線状となるので、それ以外の場合には位置揃え装置５４L，５４Ｒの左右間隔を搬送始端側から搬送終端側に向かって広がる構成となり、位置揃え装置５４Ｌ，５４Ｒの左右間隔を通過する人参が左右方向にふらつくことを防止でき、人参の茎葉部の切断位置揃えが適正に行われる。
【００３８】
さらに、大径の茎葉部が位置揃え装置５４Ｌ，５４Ｒの左右間を通過できず、人参の茎葉部の切断位置が上がり過ぎ、根部に茎葉部が残ることを防止でき、後処理でこの茎葉部を取り除く作業が不要となり、作業能率が従来より向上すると共に、人参が持ち上げられ過ぎ、根部を後述する茎葉切断装置６１に切断されてしまうことを防止できるので、人参が傷付くことがなく、商品価値が従来より向上する。  
そして、前記位置揃えチェーン４８，４８を構成する複数のリンク４８ａ…に、位置揃えチェーン４８，４８の上部と下部と茎葉部の接触面を覆う正面視コの字型のガイドカバー５１…を取り付け、位置揃えガイド体５２を構成する。
【００３９】
なお、図１６（ａ）〜（ｃ）で示すように、該ガイドカバー５１…は、平面視において前後一側方を凸状のＲ部５１ａ、前後他側方を凹状のＲ部５１ｂを形成し、茎葉部との接触面に前後他側方に、後続のガイドカバー５１の前後一側方の凸状のＲ部５１ａ上に向かって突出する突出部５１ｃを形成する。直線部では前方のガイドカバー５１の凹状のＲ部５１ｂに後続のガイドカバー５１の凸状のＲ部５１ａが入り込み、この後続の凸状のＲ部を前方の突出部５１ｃが覆うことによって、ガイドカバー５１同士の間隔部を覆うことができるので、ガイドカバー５１同士の間隔部に人参の茎葉部が噛み込まれることが防止され、機体を停止させて噛み込まれた茎葉部を取り除く必要がなく、作業能率が従来より向上する。
【００４０】
また、ガイドカバー５１は凸状のＲ部５１ａと凹状のＲ部５１ｂを有し、リンク４８ａに１つずつ取り付けられていることにより、ガイドカバー５１同士は干渉し合うことがなく位置揃えチェーン４８，４８の移動に追従することができるので、位置揃え装置５４Ｌ，５４Ｒの移動がスムーズになり、作業能率が従来より向上する。  
加えて、位置揃えチェーン４８，４８が円弧軌跡で移動する際、突出部５１ｃを有することにより、ガイドカバー５１同士の間に大きな間隔部が生じないため、この間隔部に人参の茎葉部が噛み込まれることを防止でき、機体を停止させて噛み込まれた茎葉部を取り除く必要がなく、作業能率が従来より向上する。  
なお、位置揃えガイド体５２は、複数のガイドカバー５１…ではなく、位置揃えチェーン４８の上面と下面と茎葉部との接触面を覆う、断面形状コの字型としてもよい。
【００４１】
そして、前記位置揃えチェーン４８，４８の巻回域内で且つ位置揃え従動スプロケット４５，４５と位置揃えテンションスプロケット４７，４７（図１５）との間に、位置揃えチェーン４８，４８を巻回域内から茎葉部接触面に向かって押圧する左右のテンションプレート５３Ｌ，５３Ｒを機体左右方向に位置調節自在に取り付けることにより、左右の位置揃え装置５４Ｌ，５４Ｒが引抜搬送装置２４の搬送方向後側の下方位置に構成される。該テンションプレート５３Ｌ，５３Ｒは、前記伝動ケース３７，３７に長穴を形成して取付軸５３ａ，５３ａをボルト等着脱可能な部材で位置調節に取り付け、該取付軸５３ａ，５３ａの端部に板体５３ｂ，５３ｂを溶着して構成する。  
なお、テンションプレート５３Ｌ，５３Ｒは、左右の位置揃え装置５４Ｌ，５４Ｒに略平行位置に設けてもよいが、機体外側の位置揃え装置５４Ｒの前側にテンションプレート５３Ｒを設ける場合、機体内側の位置揃え装置５４Ｌのテンションプレート５３Ｌは位置揃え装置５４Ｒのテンションプレート５３Ｒよりも機体後側に設けると、大径の茎葉部が位置揃え装置５４Ｌ，５４Ｒの左右間を通過する際、テンションプレート５３Ｌまたはテンションプレート５３Ｒのない側に位置揃えチェーン４８及び位置揃えガイド体５２が移動するので、人参の茎葉部の径が大きくても位置揃え装置５４Ｌ，５４Ｒに噛み込まれることを防止でき、機体を停止させて噛み込まれた茎葉部を取り除く必要がなく、作業能率が従来より向上する。
【００４２】
加えて、テンションプレート５３Ｌ，５３Ｒの張力は、前記張圧バネ５０，５０の張力よりも弱く設定すると、大径の茎葉部が通過して負荷がかかると位置揃えチェーン４８，４８が適正な位置まで撓んで退避することができ、位置揃え装置５４Ｌ，５４Ｒに噛み込まれることを防止でき、機体を停止させて噛み込まれた茎葉部を取り除く必要がなく、作業能率が従来より向上する。
【００４３】
そして、前記位置揃え駆動スプロケット４２，４２の近傍で且つ位置揃えガイド体５２，５２の外側位置で伝動ケース３７，３７に長穴を形成し、この長穴に位置揃えガイド体５２，５２の表面に付着した茎葉部の切れ端や泥等を落とす左右のスクレーパ５５，５５を位置揃えガイド体５２，５２の軌跡に沿って位置調節時際に取り付ける。  
なお、スクレーパ５５，５５は、後下り傾斜姿勢で配置することにより、茎葉部の切れ端や泥を下方に落下させやすくなる。
【００４４】
そして、前記左右第１ギアユニット３８，３８の位置揃え装置５４Ｌ，５４Ｒの後方位置に左右の切断刃回転軸５６，５６を軸着し、該切断刃回転軸５６，５６に左右のベアリング５７，５７を回転自在に取り付ける。そして、前記左右のベアリング５７，５７に左右の支持プレート５９，５９を取り付け、該支持プレート５９，５９に左右の茎葉切断刃６０，６０を取り付けて、茎葉切断装置６１が構成される。
【００４５】
また、前記左右第１出力軸４０，４０に左右茎葉搬送駆動プーリ６２，６２を軸着し、前記左右第１ギアユニット３８，３８よりも機体前側で且つ位置揃え装置５４Ｌ，５４Ｒの上方に左右茎葉搬送従動プーリ６３，６３を回転自在に取り付ける。そして、該左右茎葉搬送駆動プーリ６２，６２と左右茎葉搬送従動プーリ６３，６３とに左右排葉搬送ベルト６４，６４を無端状に巻回することによって、前記引抜搬送装置２４から人参の茎葉部を引き継いで機体後方に排出する排葉搬送装置６５が、前記左右の伝動ケース３７，３７の上部外周で且つ引抜搬送装置２４の搬送終端側の下方に構成される。
【００４６】
さらに、前記左右第１出力軸４０，４０の上端部に左右残葉搬送駆動プーリ６６，６６を軸着し、前記伝動ケース３７，３７の上方に左右残葉搬送従動プーリ６７，６７を回転自在に取り付けるとともに、該左右残葉搬送駆動プーリ６６，６６と左右残葉搬送従動プーリ６７，６７との前後間に複数の左右の残葉搬送テンションプーリ６８，６８…を取り付ける。そして、前記左右残葉搬送駆動プーリ６６，６６と左右残葉搬送従動プーリ６７，６７と左右残葉搬送テンションプーリ６８，６８…とに左右残葉搬送ベルト６９，６９を無端状に巻回することによって、茎葉の上部を挟持して機体後方に搬送する残葉搬送装置７０が、前記排葉搬送装置６５の上方に構成される。
【００４７】
図１に示すように排葉搬送装置６５と残葉搬送装置７０の終端部から茎葉切断装置６１によって切断された茎葉を圃場に排出する排葉シュータ７１を設けて、茎葉切断部Ｄを構成する。  
上記構成により、左右の位置揃え駆動スプロケット４２，４２が、茎葉部が通過する位置揃え装置５４Ｌ，５４Ｒの左右間隔部から離間する位置に配置されることにより、位置揃え駆動スプロケット４２，４２や第２出力軸４１，４１に茎葉部が絡み付いて位置揃え装置５４Ｌ，５４Ｒを停止させてしまうことを防止できるので、収穫作業が中断されず、作業能率が従来より向上する。
【００４８】
また、位置揃え駆動スプロケット４２，４２を位置揃え従動スプロケット４５，４５及び位置揃えテンションスプロケット４７，４７よりも小径としたことにより、位置揃え駆動スプロケット４２，４２がいっそう位置揃え装置５４Ｌ，５４Ｒの左右間隔部から離間するので、位置揃え駆動スプロケット４２，４２や第２出力軸４１，４１に茎葉部が絡み付くことをいっそう防止でき、作業能率がさらに向上する。
【００４９】
そして、図１５に示すように、位置揃え従動スプロケット４５，４５を張圧する左右の張圧バネ５０，５０を設けたことにより、位置揃え装置５４Ｌ，５４Ｒに茎葉部が接触する際に左右の位置揃えチェーン４８，４８に生じる弛みを吸収させることができ、位置揃えチェーン４８，４８がすぐに張り状態に戻るため、径の異なる茎葉部が連続して通過するときでも位置揃え装置５４Ｌ，５４Ｒが確実に人参の茎葉部を受けることができ、人参の茎葉部の切断位置が適正に揃えられて茎葉部が適正に切断され、後工程で茎葉部を除去する必要がなく、作業能率が従来より向上する。
【００５０】
また、左右の受け板４９，４９を前後方向に移動させることで張圧バネ５０，５０の張力が調節されることにより、人参の生育状況や品種による茎葉部の径の差異、あるいは天候や土質等、作業場所の作業条件に合わせて張力を適正に変更できるので、人参の茎葉切断位置の位置揃えを適正に行い茎葉部を確実に切断することにより、後工程で人参に残る茎葉部を取り除く必要がなくなり、作業能率が従来より向上する。
【００５１】
さらに、左右の位置揃えフレーム４３，４３に機体左右方向の孔部４４，４４を形成し、この孔部４４，４４に位置揃え従動スプロケット４５，４５を軸着した回転軸４６，４６を移動自在に設けたことにより、負荷がかからない状態では、張圧バネ５０，５０に張圧された位置揃え従動スプロケット４５，４５は茎葉部の搬送経路寄りに移動するので、小径の茎葉部が通過する際に位置揃え装置５４Ｌ，５４Ｒが茎葉部を受けて人参の茎葉部の切断位置を適正に揃えることができ、後工程で人参に残る茎葉部を取り除く必要がなくなり、作業能率が従来より向上する。
【００５２】
また、大径の茎葉部が通過する際、左右の位置揃え装置５４Ｌ，５４Ｒに大きな負荷がかかると、位置揃え従動スプロケット４５，４５は孔部４４，４４に沿って茎葉部の移動経路から離間する方向に移動するので、位置揃え装置５４Ｌ，５４Ｒの前側の左右間隔が広くなり、茎葉部が位置揃え装置５４Ｌ，５４Ｒの間隔部に噛み込まれることを防止でき、機体を止めて噛み込まれた茎葉部を取り除く必要がなく、作業能率が従来より向上する。
【００５３】
なお、人参の茎葉部が大径であることが収穫作業前に分かっている場合には、位置揃え従動スプロケット４５，４５を左右の位置揃え装置５４Ｌ，５４Ｒの左右間から離間する方向に移動させ、位置揃え装置５４Ｌ，５４Ｒの搬送方向上手側の左右間隔を広くしておくと、位置揃え装置５４Ｌ，５４Ｒが茎葉部を噛み込むことを防止でき、噛み込んだ茎葉部を取り除く作業が必要なく、作業能率が従来より向上する。
【００５４】
そして、位置揃えチェーン４８，４８を構成する複数のリンク４８ａ…毎にガイドカバー５１…を取り付けて位置揃えガイド体５２を構成したことにより、任意の箇所のガイドカバー５１を自在に着脱できるので、一部のガイドカバー５１が損傷しても、新しいガイドカバー５１に取り替えるだけで適正な位置揃え性能が維持され、茎葉部が適正に切断されるので、作業能率が従来より向上する。  
また、位置揃えガイド体５２全体を取り替える必要がないので、コストダウンを図ることができる。  
さらに、ガイドカバー５１の着脱は、工具を必要とせず手作業で行えるので、交換作業を容易に行うことができる。
【００５５】
そして、ガイドカバー５１が位置揃えチェーン４８の上面と下面と茎葉部との接触面を覆う正面視コの字形状としたことにより、ガイドカバー５１と位置揃えチェーン４８との間に空間部が生じないので、ガイドカバー５１と位置揃えチェーン４８との間で茎葉部を挟み込んでしまい、人参が適正な切断位置に揃えられず茎葉部が切り残されることを防止でき、後工程で茎葉部を除去する作業が必要なく、作業能率が従来より向上するとともに、人参の根部が切断されることを防止でき、人参の商品価値が従来より向上する。
【００５６】
また、ガイドカバー５１に凸上のＲ部５１ａと凹状のＲ部５１ｂとを形成し、後続のガイドカバー５１の凸状のＲ部５１ａを前側のガイドカバー５１の凹状のＲ部５１ｂに近接させて位置揃えチェーン４８に取り付けることにより、位置揃えチェーン４８が位置揃え従動スプロケット４５などの周囲を円弧軌道で移動する際、ガイドカバー５１…は追従して移動できるので、位置揃え装置５４Ｌ，５４Ｒは一定の周速で動作するため、茎葉部を受けて人参の茎葉部の切断位置を適正に揃えることができ、後工程で人参に残る茎葉部を取り除く必要がなくなり、作業能率が従来より向上する。
【００５７】
さらに、凸状のＲ部５１ａ上に向かって突出する突出部５１ｃを設けたことにより、位置揃えチェーン４８が位置揃え従動スプロケット４５などの周囲を円弧軌道で移動する際、ガイドカバー５１…同士の前後間に生じる空間部をこの突出部５１ｃが覆うため、ガイドカバー５１…同士の前後間の空間部で茎葉部を挟み込んでしまい、人参が適正な切断位置に揃えられず茎葉部が切り残されることを防止でき、後工程で茎葉部を除去する作業が必要なく、作業能率が従来より向上するとともに、人参の根部が切断されることを防止でき、人参の商品価値が従来より向上する。
【００５８】
そして、位置揃えチェーン４８，４８の巻回域内に左右のテンションプレート５３Ｌ，５３Ｒを設けたことにより、位置揃えチェーン４８，４８を巻回域内から押圧するため、大径の茎葉部が通過する際、テンションプレート５３Ｌまたはテンションプレート５３Ｒが押圧していない部分の位置揃えチェーン４８，４８は位置揃え駆動スプロケット４２，４２の方向へ退避できるので、茎葉部が位置揃え装置５４Ｌ，５４Ｒの左右間に噛み込まれることがなく、機体を止めて噛み込まれた茎葉部を取り除く必要がなく、作業能率が従来より向上する。
【００５９】
また、位置揃え駆動スプロケット４２，４２の外周を移動する位置揃えガイド体５２，５２に付着した茎葉部の破片や泥等の夾雑物を擦り落とす左右のスクレーパ５５，５５を設けたことによって、茎葉部の移動経路から離れて位置で位置揃えガイド体５２，５２に付着した夾雑物を除去することができるので、茎葉部の破片が位置揃え装置５４Ｌ，５４Ｒの各部に絡み付くことが防止され、機体を止めて絡み付いた茎葉部の破片を取り除く必要がなく作業能率が従来より向上すると共に、泥の塊が人参の根部を傷付けることが防止され、人参の商品価値が従来より向上する。
【００６０】
さらに、スクレーパ５５，５５は長穴に沿って取り付け位置を変更することができるので、収穫作業を行う圃場の人参の茎葉部の径の平均に合わせて最適な位置にスクレーパ５５，５５を設定し、確実に茎葉部の破片や泥等の夾雑物を位置揃えガイド体５２，５２から除去することにより、上記の効果がさらに向上する。  
そして、茎葉切断装置６１で人参から切断された排葉（切断された茎葉部）を圃場に排出する排葉シュータ７１が、既掘り側（人参を収穫し終えた側）に茎葉を排出するように下方傾斜姿勢に設けられていることによって、排出された茎葉が未掘り側（人参を収穫していない側）の人参の上に落下し、排葉が左右挟持搬送ベルト１８，１８や左右従動プーリ１７，１７等に絡み付いて収穫部Ｃを停止させて収穫作業を妨げることが防止できるので、作業能率が従来より向上すると共に、人参の上に落下した排葉が収穫する人参の視認性を妨げることを防止できる。
【００６１】
次に、残葉処理部Ｅについて説明する。  
図１、図１３で示すように、前記茎葉切断装置６１の下方に前後残葉処理フレーム７２，７２を設け、該残葉処理フレーム７２，７２の機体左右一側の前後間に第１残葉処理ローラ７３ａを回転自在に取り付ける。また、前記残葉処理フレーム７２，７２の機体左右他側の前後間で且つ第１残葉処理ローラ７３ａよりも下方位置に第２残葉処理ローラ７３ｂ（図２）を回転自在に取り付ける。そして、該第１残葉処理ローラ７３ａと第２残葉処理ローラ７３ｂとにゴムやウレタン等の弾性体で構成する残葉処理ベルト７４を無端状に巻回する。さらに、該残葉処理ベルト７４の上部に人参の根部に残った残葉を残葉処理ベルト７４と共に挟み込んで回転して切除する残葉処理ローラ７５を取り付けて、茎葉切断部Ｄから引き継いだ人参の残葉を処理しながら機体外側方向から左右内側方向に搬送する残葉処理コンベア７６を構成することにより、残葉処理部Ｅが構成される。  
なお、該残葉処理コンベア７６は、機体左右一側から左右他側に向けて２〜５度程度傾斜している。
【００６２】
これにより、落下した人参は残葉処理ベルト７４の駆動と傾斜による移動により移動するので、残葉処理コンベア７６上で人参の移動が停止することがなく、手作業で停止した人参を動かす必要がなく、作業能率が従来より向上する。また、残葉処理コンベア７６が若干（約２〜５度）傾斜していることにより、機体が圃場の状態等により機体左右一側方向に傾斜しても残葉処理コンベア７６は地面に対して略水平状態となるに留まるので、人参が残葉処理コンベア７６上に停滞したり、残葉処理コンベア７６の搬送方向とは逆方向に移動することがなく、こうした人参を手作業で搬送経路に戻す必要がなく、作業能率が従来より向上する。
【００６３】
上記構成により、残葉処理コンベア７６を構成する残葉処理ローラ７５が、茎葉切断装置６１で切り残された人参の残葉を千切り取るため、収穫作業後に人手で残葉を切除する作業を省略することができ、作業能率が従来より向上する。  
また、残葉処理コンベア７６を構成する残葉処理ベルト７４をゴムやウレタン等の弾性体で構成したことによって、茎葉切断装置６１で茎葉部を切除されて人参が落下しても残葉処理ベルト７４が落下の衝撃を軽減するので、落下の衝撃で人参が傷付くことが防止され、人参の品質が従来より向上する。
【００６４】
次に、選別搬送部Ｆについて説明する。  
図２〜図５に示すように、前記残葉処理コンベア７６よりも機体前側で且つ下方位置に前後の第１搬送フレーム７７，７７（図３）を前後方向に所定間隔を開けて配置し、該第１搬送フレーム７７，７７の機体内側端部（機体左右他側端部）で且つ外側に前後の第２搬送フレーム７８，７８を前後方向に所定間隔を空けて且つ搬送終端部側が上下回動自在に配置する。そして、該第１搬送フレーム７７，７７の機体左右一側端部に前後の駆動スプロケット７９，７９（図２）をそれぞれ回転自在に取り付け、第１搬送フレーム７７，７７の機体左右他側端部に前後の中継スプロケット８０，８０をそれぞれ回転自在に且つ駆動スプロケット７９，７９よりも下方位置に取り付けると共に、第２搬送フレーム７８，７８の機体左右他側端部に前後の従動スプロケット８１，８１をそれぞれ回転自在に取り付ける。
【００６５】
また、該駆動スプロケット７９，７９と中継スプロケット８０，８０と従動スプロケット８１，８１とに前後の伝動チェーン８２，８２をそれぞれ無端状に巻回し、前記中継スプロケット８０，８０の上部に伝動チェーン８２，８２を張圧する前後のテンションスプロケット（図示省略）を前記第１搬送フレーム７７，７７で且つ伝動チェーン８２，８２に接触する位置に回転自在に取り付ける。  
さらに、該伝動チェーン８２，８２に人参を載せて搬送するプラスチック等合成樹脂またはゴムで構成する複数の搬送バー８４…を回転自在に取り付ける。
【００６６】
そして、前記第２搬送フレーム７８，７８の左右間に支持プレート８６を取り付け、該支持プレート８６と機体フレーム１との間に選別搬送コンベア８７の搬送終端部側を上下動させる昇降シリンダ８８（図３）を伸縮自在に取り付けて、機体左右一側から左右他側に亘って人参を搬送する選別搬送コンベア８７を構成する。さらに、該選別搬送コンベア８７の搬送終端部の下部に、選別搬送コンベア８７の搬送終端部から排出される人参を滑らせて移動させる、ゴム板や塩ビ板等の軟質部材で構成する排出シュータ８９を端部が下方に垂れ下がる姿勢で取り付ける。  
なお、昇降シリンダ８８は電動式でも油圧式でも空圧式でもよく、手動で伸縮操作するものでもよい。
【００６７】
そして、前記機体フレーム１の機体左右他側の後部で且つ選別搬送コンベア８７よりも機体後側に、前記選別搬送コンベア８７で搬送中の人参の選別作業や選別搬送コンベア８７の操作を行う補助作業者が搭乗する搭乗ステップ９０（図２）を配置し、該搭乗ステップ９０上で且つ選別搬送コンベア８７の中継スプロケット８０，８０を配置した近傍位置に補助作業座席９１を取り付ける。  
さらに、前記昇降シリンダ８８を伸縮操作して選別搬送コンベア８７の搬送終端部側を上下動させる上昇踏みペダル９２ａと下降踏みペダル９２ｂとを選別搬送コンベア８７の搬送経路の下方に配置する。  
そして、該搭乗ステップ９０上で且つ補助作業座席９１に着座した補助作業者が足で踏んで操作できる位置に配置することによって、選別搬送部Ｆが構成される。
【００６８】
上記構成によれば、駆動スプロケット７９，７９よりも中継スプロケット８０，８０を下方に配置したことにより、選別搬送コンベア８７のうち駆動スプロケット７９，７９から中継スプロケット８０，８０を配置した区間は、機体内側方向（機体左右他側方向）に約２〜５度傾斜して、残葉処理コンベア７６と略平行姿勢とすることにより、人参が残葉処理コンベア７６の何処から落下しても残葉処理コンベア７６と選別搬送コンベア８７の搬送始端部との落差が略同じなので、落下の衝撃で人参が傷付くことが防止でき、商品価値が従来より向上する。
【００６９】
また、昇降シリンダ８８を操作する上昇踏みペダル９２ａと下降踏みペダル９２ｂを補助作業座席９１に着座した補助作業者の足が届く位置に設けたことにより、補助作業者は補助作業座席９１に着座したまま選別搬送コンベア８７の搬送終端部側を上下動させることができ、作業能率が従来より向上するとともに作業者の労力が軽減される。  
さらに、上昇踏みペダル９２ａと下降踏みペダル９２ｂを設けたことにより、補助作業者は選別搬送コンベア８７の上下動を足だけで操作することができ、手を搬送中の人参の選別作業に集中させられるので選別精度が従来より向上すると共に、手を選別搬送コンベア８７の構成部材で挟んだり切ったりすることが防止でき、作業の安全性が従来より向上する。
【００７０】
次に、収容部Ｇの構成について説明する。  
図２〜図５、及び図１８、図１９で示すように、前記選別搬送コンベア８７の前後の第２搬送フレーム７８，７８の搬送方向下手側（左右他側部）に回動シャフト９３（図３）を機体前後方向に貫通させて取り付け、該回動シャフト９３の前後両端側で且つ第２搬送フレーム７８，７８の外側にそれぞれ摩擦抵抗体９４，９４（図４）を軸着する。  
該摩擦抵抗体９４，９４は皿バネやスプリングワッシャ、ゴムリング等、強い摩擦抵抗を有する部材であればどのようなものを用いてもよい。
【００７１】
また、ハンガーアーム９５，９５を操作する操作レバー１２０をハンガーアーム９５，９５の基部近傍に設けた回動シャフト９３とハンガーアーム９５，９５の下端部に固着しており、前記回動シャフト９３の前後両端部に前後のハンガーアーム９５，９５の基部側を摩擦抵抗体９４，９４よりも前後方向外側に設け、第２搬送フレーム７８，７８とハンガーアーム９５，９５との間に挟み込んだ摩擦抵抗体９４，９４の摩擦抵抗によりハンガーアーム９５，９５が上方または下方に抵抗力以上の移動力がかかったときのみ上方または下方に移動可能に構成する。従って操作レバー１２０の操作でハンガーアーム９５，９５が回動する。
【００７２】
図３〜図５で示す選別搬送コンベア８７に対するハンガーアーム９５，９５の回動機構（Ａ）は回動軸９３、抵抗体９４、操作レバー１２０などからなる。  
そして、前記ハンガーアーム９５，９５の端部側に前後方向に亘って選別搬送コンベア８７の機体前後端部よりも前後方向に突出するハンガーフレーム９６を取り付け、該ハンガーフレーム９６の前後両端部に人参を収容する収容袋（フレキシブルコンテナバッグ）９７を前後左右の４点を引っ掛けて吊り下げ支持する前後一対の吊下げハンガー９８，９８を左右方向に回動自在に取り付ける。さらに、該吊下げハンガー９８，９８の機体外側端部に上方向きの逆Ｕ字型の外側吊下げ体９９ａ，９９ａをそれぞれ溶着すると共に、機体内側端部を下方向きのＵ字型の内側吊下げ体９９ｂ，９９ｂを溶着し、該外側吊下げ体９９ａ，９９ａと内側吊下げ体９９ｂ，９９ｂに収容袋９７を吊り下げる吊下げフック９９ｆ，９９ｆ，９９ｆ，９９ｆを上下移動自在に取り付ける。
【００７３】
なお、外側吊下げ体９９ａ，９９ａ及び内側吊下げ体９９ｂ，９９ｂを溶着する代わりに、吊下げハンガー９８，９８の機体外側端部を逆Ｕ字型に折り曲げ、機体内側端部をＵ字型に折り曲げて、吊下げフック９９ｆ，９９ｆ，９９ｆ，９９ｆを上下方向に移動自在に取付可能な構成としてもよい。  
該吊下げハンガー９８，９８は、吊り下げる収容袋９７の上側開口部が平面視で略四角形となるように、収容袋９７の４箇所の角部を前後の外側吊下げ体９９ａ，９９ａ及び前後の内側吊下げ体９９ｂ，９９ｂで吊り下げる。
【００７４】
このように、左右一側の内側吊下げ体９９ｂを上下方向下向きに形成すると共に、左右他側の内側吊下げ体９９ａを上下方向上向きに形成し、左右一側の吊下げフック９９ｆが左右他側の吊下げフック９９ｆよりも下方に位置するため、左右両側の吊下げフック９９ｆ，９９ｆに収容部材９７を引っ掛けると左右一側から左右他側への傾斜角度が大きくなるので、収容部材９７の上端部から収容した作物が落下しにくく、落下の衝撃で作物が傷付くことを防止でき、商品価値の低下が防止される。また、落下した作物を拾い集める必要がなく、作業者の労力が軽減される。
【００７５】
そして、前記第２搬送フレーム７８，７８の搬送終端部の前後外側で且つ回動シャフト９３の取付位置よりも機体外側方向に前後のハンガーアーム９５，９５を受け止めて下方回動を規制する下限規制突起１００，１００を取り付ける。さらに、機体前側の第２搬送フレーム７８の外側で機体前側の下限規制突起１００よりも上方且つ回動シャフト９３寄りの位置に、機体前側のハンガーアーム９５，９５を受け止めて上方回動を規制する上限規制突起１０１を取り付ける。
【００７６】
また、前記回動シャフト９３の機体後側もしくは前後両側に雌ネジを刻んだ孔部（図示せず）を形成し、該孔部にねじ込む雄ネジ（図示せず）を刻んだ調節ノブ１０２（図４，図５）を挿し込み、該調節ノブ１０２を回転させて摩擦抵抗体９４，９４を間に挟んだ第２選別フレーム７８，７８とハンガーアーム９５，９５との前後間隔を変更することにより、摩擦抵抗力が変化する構成とする。  
上記調節ノブ１０２を回動シャフト９３の機体後側端部に設けると補助作業座席９１に搭乗した補助作業者が操作しやすく、回動シャフト９３の機体前側端部に設けると操縦座席１１に搭乗した作業者が操作しやすくなり、摩擦抵抗体９４，９４の摩擦抵抗力の調節が容易となる。
【００７７】
さらに、前記回動シャフト９３よりも選別搬送コンベア８７の搬送終端側で且つ機体後側の第２搬送フレーム７８の下側に前後方向に摺動自在なスライド軸１０３（図４）を設け、該スライド軸１０３に機体前側方向に張圧力をかけるスプリング１０４を軸着する。そして、該スプリング１０４の機体前側端部に選別搬送コンベア８７の下部に入り込む収容袋９７の機体内側の前後中間部を吊り下げて弛みを防止する補助フック１０５を設け、前記スライド軸１０３の後側端部で且つ第２フレーム７８の外側に補助作業者が手で掴んでスライド軸１０３を前後摺動させるスライドノブ１０６を取り付ける。  
なお、前記スライド軸１０３は非操作時に選別搬送コンベア８７の機体後端部から前後中間部と同じか若干機体前側まで亘って設けると、補助フック１０５の位置を合わせやすくなる。また、スライド軸１０３を機体前側から後側に向かって設けてもよく、この場合操縦座席１１に搭乗する作業者がスライド軸１０３の操作を行うことができる。
【００７８】
また、図１８、図１９で示すように、前記機体フレーム１の機体左右他側後部に前後支持プレート１０９，１０９を機体左右方向に取り付け、該前後支持プレート１０９，１０９の機体外側端部に載置部フレーム１１０を、左右回動軸１１０ａを回動支点として機体左右方向に回動自在に取り付ける。そして、該載置部フレーム１１０の後下部に上下回動軸１１１ａを設け、該上下回動軸１１１ａの上部に前後の吊下ハンガー９８，９８に吊り下げられる収容袋９７の底部を載置支持する載置台１１２を上下回動自在に取り付ける。
【００７９】
また、前記載置部フレーム１１０の後側の左右他側端部に後側支持プレート１１３を設け、前記上下回動軸１１１ａの左右他側端部に回動プレート１１４の下端部を機体前後方向に回動自在に軸着するとともに、該回動プレート１１４の上部と後側支持プレート１１３の上部との間に伸縮自在な伸縮ロッド１１５を取り付ける。  
さらに、該伸縮ロッド１１５の機体後側の端部に伸縮ロッド１１５を伸縮させる操作ハンドル１１６を取り付けるとともに、前記載置台１１２の左右両側及び後側に収容袋９７の落下を防止する落下防止板１１７を取り付けることにより、回収台１１８が構成される。
【００８０】
収容袋吊下げ装置８５と回収台１１８とにより、収容部Ｇが構成される。  
なお、伸縮ロッド１１５は一方の棒材の表面に螺子溝を刻み、他方の中空の棒材の内面に螺子溝を刻み、互いの棒体の螺子溝を合わせて操作ハンドル１１６で回転させて伸縮する構成としているが、電動シリンダや油圧シリンダに置き換えてもよく、その場合は操作ハンドル１１６をスイッチやレバーに置き換えてもよい。
【００８１】
次いで、上記収容部Ｇの動作について主に図２〜図５により説明する。なお収容部Ｇの異なる実施例を図６〜図８と図９〜図１１にそれぞれ示す。  
人参の収穫作業開始時には、前記選別搬送コンベア８７の搬送終端部から収容袋９７までの人参の落下距離を最小限にするため、選別搬送コンベア８７を最下位置まで下降させる。また、前後の吊下げハンガー９８，９８の外側吊下げ体９９ａ，９９ａと内側吊下げ体９９ｂ，９９ｂに設けた吊下げフック９９ｆ，９９ｆ，９９ｆ，９９ｆに収容袋９７の四隅を引っ掛けて、上側開口部を平面視で略四角形状とする。
【００８２】
そして、前後のハンガーアーム９５，９５を上限規制突起１０１（図５）に接触するまで上方回動させ、前後の吊下げハンガー９８，９８を機体内側端部から機体外側端部に向かって上方に傾斜する姿勢とする。吊下げハンガー９８，９８が機体外側方向に向かって上方に傾斜する姿勢となることにより、吊り下げられている収容袋９７も機体内側端部から機体外側端部に向かって上方に傾斜する上り傾斜姿勢となる。  
このとき、吊り下げられた収容袋９７のうち、選別搬送コンベア８７の搬送終端部側から人参が排出される機体内側は弛むため上下長さが短くなり、機体外側は殆ど弛みが生じないため上下長さが長くなる。なお、収容袋９７は、布材や合成繊維等で柔軟に構成したものとする。  
また、図３に示すように前記収容袋９７の機体内側端部に排出シュータ（図示せず）の機体外側端部を入り込ませ、収容袋９７の機体内側端部を選別搬送コンベア８７の搬送終端側の下方に入り込ませ、収容袋９７の前後方向略中心部に形成した吊り孔（図示せず）に補助フック１０５を引っ掛ける構成としている。
【００８３】
上記したように収容袋９７を吊り下げる左右一対の吊下げハンガー９８，９８を吊下げ支持部材９５，９５に回動自在に配置し、収容袋９７を吊り下げる吊下げハンガー９８，９８を左右内側が左右外側よりも下方に位置する傾斜姿勢で配置したことにより、収容袋９７を吊下げハンガー９８，９８に取り付けると収容袋９７も左右内側が左右外側よりも下方に位置する傾斜姿勢となり、収容袋９７の左右外側に弛み部分が生じにくいため、選別搬送コンベア８７から収容袋９７に投入された作物が弛んだ部分に入り込んで収容袋９７の総収容量を減らしてしまうことが防止されるので、収容袋９７を交換する頻度が減少し、作業能率が従来より向上する。
【００８４】
また、作物が収容袋９７の弛み部分に進入することによる総収容量の減少を防止するために、収容袋９７に作物が一定量以上収容された際に、ハンガーフレーム９６，９６を操作レバー１２０で操作する。なお、昇降シリンダ８８の作動は、上昇踏みペダル９２ａ及び下降踏みペダル９２ｂ、もしくはその上方位置で機体後側の第２搬送フレーム７８に設ける昇降スイッチ（図示せず）で操作する。吊下げハンガー９８，９８は収容袋９７内に２〜３０ｋｇ程度の人参が収容されてから上昇踏みペダル９２ａを踏んで昇降シリンダ８８を伸ばし、選別搬送コンベア８７の搬送終端部側を上昇させると、上昇中に限って下降し続ける。選別搬送コンベア８７の搬送終端側を余分に上方回動させて収容袋９７の弛みを解消し、その後、選別搬送コンベア８７の搬送終端側を若干下降させる操作が必要なくなるので、作物の収穫作業中に停止することがなく作業能率が従来より向上すると共に、後方を振り返って操縦者が選別搬送コンベア８７の操作を行う必要がなく、作業者の労力が軽減される。
【００８５】
さらに、操作レバー１２０を操作することにより、収容袋９７の弛み部分を手動で取り除くことができるので、選別搬送コンベア８７から収容部材９７に投入された作物が弛んだ部分に入り込んで収容袋９７の総収容量を減らしてしまうことが防止されるので、収容袋９７を交換する頻度が減少し、作業能率が従来より向上する。
【００８６】
そして、収容袋９７の左右外側の上下長さが収穫作業開始時から左右内側の上下長さよりも長いことにより、作物が選別搬送コンベア８７上を転がり、勢いがついた状態で選別搬送コンベア８７から飛び出しても、収容袋９７に入り込み、その左右外側部分で作物と受け止めることができるので、落下の衝撃で作物が傷付くことが防止されて作物の商品価値が低下することが防止されると共に、圃場に落下した作物を作業者が回収する必要がなく、作業者の労力が軽減される。
【００８７】
操作レバー１２０の基部がハンガーアーム９５，９５の一端部の回動支点付近に固着されているが、ハンガーアーム９５，９５が「下げ」位置にあるときには、ハンガーアーム９５，９５と操作レバー１２０の長手方向は共に略水平位置になる構成としている。また、操作レバー１２０は補助作業座席９１の側に引くことで収納袋９７の弛みが取れる方向にハンガーアーム９５，９５が動くようになっているので補助作業座席９１の作業者がレバー操作をしやすくなる。
【００８８】
図６〜図８は別実施例の選別搬送コンベア８７の昇降時の収納部Ｇのモータ式の作動機構の説明図である。図６は収納部Ｇの側面図、図７は収納部Ｇの平面図、図８は収納部Ｇの一部側面図を示す。
【００８９】
第２搬送フレーム７８，７８に掛け渡された回転軸９３に回動自在にハンガーアーム９５の下端部が設けられ、該ハンガーアーム９５の端部に上端部を固着させた連結アーム１３５が設けられている。 
該連結アーム１３５の下端部にはラック１２１が第２搬送フレーム７８，７８の前後一対の底部壁面に設けられ、該ラック１２１はモータ１２２の回転軸に設けられたピニオン１２２ａにより第２搬送フレーム７８の底面に沿って摺動自在となる。なお、ラック１２１とピニオン１２２ａの組合せに限らず、ローラとレールの組合せでもよい。ただしラック・ピニオンの組合せのほうが停止時に噛み合うので慣性の影響を受けにくく、止めたい位置で確実に止めやすい。 
従って、モータ１２２の正転駆動によりラック１２１が摺動すると、該ラック１２１に係止した連結アーム１３５が回転軸９３を中心に回転し、該連結アーム１３５の回転により、該連結アーム１３５と一体のハンガーアーム９５，９５の下端部が回動軸９３の周りを揺動し、ハンガーアーム９５，９５の上端部が上下方向に移動する。またモータ１２２の逆転でラック１２１が逆方向に摺動するとハンガーアーム９５，９５の上端部は逆に下方向に移動する。モータ１２２の正転、逆転は第２搬送フレーム７８に設けた切替スイッチ１２４で行う。
【００９０】
こうしてモータ１２２の駆動によるラック１２１が摺動することで、ハンガーアーム９５，９５と収納袋９７の上下動を行うことができる。  
駆動モータ１２２の回転によりラック１２１が左右方向に摺動するとハンガーアーム９５，９５が上昇または下降する構成としたことにより、作業者は収容袋９７の弛みを取る際に手作業（人力）でハンガーアーム９５，９５を動かす必要がなくなるので、作業者の労力が軽減される。
【００９１】
図６〜図８に示す実施例によれば、ハンガーアーム９５，９５は収納袋９７の内部に人参などの作物が入っていて、荷重がかかっても連結アーム１３５とラック１２１により駆動可能となる。  
ハンガーアーム９５，９５を駆動するモータ１２２とラック１２１は、補助作業者の邪魔にならないように補助作業座席９１のある第２搬送フレーム７８の反対側の第２搬送フレーム７８の下部に設けているので、補助作業者の作業には障害とならないし、安全である。
【００９２】
また、補助作業座席９１の側の第２搬送フレーム７８に切替スイッチ１２４が設けられているので、モータ１２２の駆動操作性がよい。また切替スイッチ１２４の操作を選別搬送コンベア８７の上昇に連動してのハンガーフレーム９６，９６の下降動作よりも優先して受け付けられる構成にしているので、ハンガーアーム９５，９５の駆動操作性が優れている。すなわち、選別搬送コンベア８７の搬送終端側が上昇している間はハンガーフレーム９６，９６が下降するが、切替スイッチ１２４を操作してモータ１２２を駆動させるとハンガーフレーム９６，９６はモータ１２２の駆動力により上昇または下降する。  
さらに切替スイッチ１２４の他にオートスイッチ１５０（図Ｄ）を設けておき、オートスイッチ１５０が「入」のときは切替スイッチ１２４を離すと自動で元の位置へハンガーアーム９５，９５が戻るようにした。
【００９３】
また、選別搬送コンベア８７の昇降中にハンガーアーム９５，９５が連動中でも切替スイッチ１２４が操作されると切替スイッチ１２４によるハンガーアーム９５，９５の作動が優先となるようにしている。これは作業者がハンガーアーム９５，９５の動きを監視しながら行う切替スイッチ１２４のオンオフ操作であることから、その操作を優先して安全性を図る。  
さらに、選別搬送コンベア８７の昇降中に切替スイッチ１２４が有効となるのは、選別搬送コンベア８７の平面が上昇位置と水平位置付近との間にある場合とし、選別搬送コンベア８７が下降して水平位置に来ると、切替スイッチ１２４は無効となるようにした。これは選別搬送コンベア８７が水平位置まで下がると、収納袋９７の弛み取りの必要性はなく、人参などを入れると収容袋９７の荷重も大きくなるので、ハンガーフレーム９６，９６や吊下げハンガー９８，９８の破損防止のためである。
【００９４】
また切替スイッチ１２４の操作を受け付けなくなったことを作業者が即座に把握できるようにするために、切替スイッチ１２４の操作を無効とする場合にはシグナルランプ（図示せず）を点灯もしくは消灯し、切替スイッチ１２４の操作無効を作業者が容易に分かるようにして操作の安全性を図る。  
また、選別搬送コンベア８７を最下げ位置もしくはほぼ水平配置にすると、図示しないポテンショメータがハンガーアーム９５，９５を自動で上昇させるようにモータ１２２を駆動させるようにしてもよい。  
図示していないが、駆動モータ１２２を下動させることにより、モータ１２２をハンガーアーム９５，９５の駆動系から切り離し可能とし、手動でハンガーアーム９５，９５の上下動を行えるようにできる。
【００９５】
図６〜図８で示す選別搬送コンベア８７に対するハンガーアーム９５，９５の回動機構（Ａ）は回動軸９３、抵抗体９４、ラック１２１，モータ１２２、回動軸連結１３５等からなる。
【００９６】
また、図９の側面図と図１０の平面図と図１１の一部拡大側面図に収容部Ｇの他の実施例を示すように操作レバー１２０に代えて前後一対のハンガーアーム９５，９５をワイヤ１２６で引くことで上昇させる構成としてもよい。  
ワイヤ１２６は選別搬送コンベア８７の一対の第２搬送フレーム７８，７８にそれぞれ支持される支持部１２７に支持されて選別搬送コンベア８７の上に立設されるアーム１２８に設けられたローラ（滑車）１３０である。また該ワイヤ１２６の一端はハンガアーム９５，９５の回動軸９６に接続し、他端は取っ手１３１に接続している。  
補助作業座席９１から取っ手１３１を引くことでワイヤ１２６も引かれ、図９の２点鎖線で示すようにハンガーアーム９５，９５を上昇させることができる。こうして選別搬送コンベア８７の終端側を上下動させることなく、収納袋９７の弛みを取ることができる。またワイヤ１２６を引かないで支持部１２７に固定させた状態でも選別搬送コンベア８７の終端側を上下動させることでも収納袋９７をスムーズに引き上げることができる。  
図９〜図１１で示す選別搬送コンベア８７に対するハンガーアーム９５，９５の回動機構（Ａ）は回動軸９３、抵抗体９４、ワイヤ１２６、支持部１２７、ローラ１３０、取っ手１３１等からなる。
【００９７】
選別搬送コンベア８７と一対のハンガーアーム９５，９５との間に設けたハンガーアーム９５，９５の姿勢を保持用の一対の抵抗体９４，９４は設けているが、該抵抗体９４，９４は選別搬送コンベア８７を上方回動させた際に抵抗体９４の抵抗力よりも一対の吊下げハンガー９８，９８に吊るした収容袋９７の重量が大きいと、一対のハンガーアーム９５，９５が下方回動する構成とした。
【００９８】
上記抵抗体９４，９４を設けたことにより、各ハンガーアーム９５，９５は各抵抗体９４，９４により作業者が設定した位置に固定されるため、収穫作業開始時に収容袋９７を確実に傾斜姿勢にすることができるので、作物が選別搬送コンベア８７上を転がって勢いのついたまま排出されても収容袋９７の左右他側で受け止められるため、落下の衝撃で作物が傷付くことが防止されて作物の商品価値が低下することが防止されると共に、圃場に落下した作物を作業者が回収する必要がなく、作業者の労力が軽減される。
【００９９】
また、選別搬送コンベア８７を上昇させ、抵抗体９４，９４の抵抗力よりも収容袋９７に収容された作物の重量が大きい場合、一対のハンガーアーム９５，９５が下方回動する構成としたことにより、収容袋９７の収容量を増やすために選別搬送コンベア８７の搬送終端側を上昇させるとハンガーアーム９５，９５が下降して吊下げハンガー９８，９８の傾斜角度が小さくなり、収容袋９７の収容量が増加する。  
また、前記左右のハンガーアーム９５，９５は摩擦抵抗体９４，９４（図５）の摩擦抵抗力により、作業者が設定した傾斜姿勢で保持されるが、放置すると勝手に下方回動し始める場合には調節ノブ１０２を回転させて、第２搬送フレーム７８とハンガーアーム９５，９５との間に配置された摩擦抵抗体９４，９４の摩擦抵抗力を調節する構成にしてもよい。
【０１００】
調節ノブ１０２を締め方向に回転させると摩擦抵抗体９４，９４の接触面積・接触圧が増加して摩擦抵抗力が強くなり、ハンガーアーム９５，９５が勝手に移動することが防止される。なお、緩め方向に回転させると摩擦抵抗体９４，９４の接触面積・接触圧が減少して、摩擦抵抗力が弱くなる。  
また、収穫作業が進行し、収容袋９７に収容された人参が一定量を超えると、補助作業者が上昇踏みペダル９２ａ（図２）を足踏み操作し、昇降シリンダ８８を伸ばして選別搬送コンベア８７の搬送終端部側を上昇させる。
【０１０１】
選別搬送コンベア８７が上昇している間は、前記ハンガーアーム９５，９５が下降しようとする力が摩擦抵抗体９４，９４の摩擦抵抗力を上回るため、ハンガーアーム９５，９５が下降する。ハンガーアーム９５，９５の下降は、収容袋９７に人参の収容スペースを確保すべく選別搬送コンベア８７を上昇させている間のみ発生する。
【０１０２】
ハンガーアーム９５，９５が下方回動することにより、吊下げハンガー９８，９８がハンガーフレーム９６を支点として回動し、吊下げハンガー９８，９８の機体外側が下方に回動すると共に、機体内側が上方に回動する。収容袋９７の機体外側は設置の段階で上方に位置しているので殆ど位置の変化はないが、機体内側は吊下げハンガー９８，９８の移動により、上方に引き上げられる。これにより、収容袋９７の機体内側に生じていた弛みが上昇量に応じて解消される。  
なお、この動作による選別搬送コンベア８７の搬送終端部と収容袋９７との落差の変化は殆どなく、また排出シュータ８９の端部は、収容袋９７の内部に垂れ下がって入り込んでいるため、収容袋９７からはみ出すことがない。
【０１０３】
また、収穫作業が進行し、収容袋９７に収容された人参が一定量を超える度に選別搬送コンベア８７の搬送終端部を上昇させ、ハンガーアーム９５，９５の先端を下方回動させると共に、吊下げハンガー９８，９８の傾斜角度を小さくし、収容袋９７の開口部を左右外側方向に上方傾斜した姿勢から左右両側の高さが略同じとなる略水平姿勢まで移動させる。この間に収容袋９７の機体内側が上方に引き上げられて、収容袋９７内の人参の収容スペースを確保すると共に、機体内側に偏る人参の山を崩していく。  
ハンガーアーム９５，９５の先端部が下方回動して吊下げハンガー９８，９８の傾斜角度を小さくなると収容袋９７の開口部を左右他側方向に上方傾斜した姿勢から左右両側の高さが略同じとなる略水平姿勢まで移動する。
【０１０４】
このように選別搬送コンベア８７を上方に回動させ、吊下げハンガー９８，９８が略水平姿勢になると、収容袋９７の機体内側の弛みが解消され、機体内側と外側の上下高さが略同じになる。この状態となると、収容袋９７には約２００ｋｇの人参が収容されているため、作業者は機体の走行を停止して収容袋９７を機外に下ろす。このとき、ハンガーアーム９５，９５が下限規制突起１００，１００（図５）に接触する構成とする。
【０１０５】
しかしながら、あと数メートルで圃場内の人参を全て収穫できる場合等、収容袋９７を交換すると手間が多くなる場合には、収容袋９７の上部開口部を閉じる蓋部を吊下げハンガー９８，９８の外側吊下げ体９９ａ，９９ａに引っ掛け、収容袋９７の機体外側から左右方向中央部の近傍までの上下高さを長くすると、数メートル（数ｋｇ）分の人参であれば収容可能となり、収容袋９７の交換の手間が省け、作業能率が従来より向上する。  
なお、この状態でも選別搬送コンベア８７の搬送終端部と収容袋９７との落差の変化は殆どない。
【０１０６】
そして、収容袋９７の収容量が一杯になると、機体や引抜搬送装置２４、選別搬送コンベア８７等を停止させ、吊下げフック９９ｆ，９９ｆ，９９ｆ，９９ｆから収容袋９７を取り外すと共に、スライドノブ１０６を機体後方に引っ張り、補助フック１０５を収容袋９７から取り外す。補助フック１０５はスプリング１０４の張圧力によって、スライドノブ１０６から手を離すと選別搬送コンベア８７、及び装着時の収容袋９７の前後方向略中央部に自動的に復帰する。
【０１０７】
上記したように、選別搬送コンベア８７の搬送終端側を上昇させるとハンガーアーム９５，９５の先端が下方回動して吊下げハンガー９８，９８の傾斜角度を小さくし、収容袋９７の開口部を左右外側方向に上方傾斜した姿勢から左右両側の高さが略同じとなる略水平姿勢まで移動させる構成としたことにより、選別搬送コンベア８７の搬送終端側を上昇させると弛んだ状態の収容袋９７の左右内側が上方に引き上げられるため、収容袋９７の左右内側の上下長さが長くなり、作物の収容量が増加する。
【０１０８】
また、収容袋９７の機体内側に生じた弛み部分に作物が進入していても、吊下げ部材９８，９８の左右内側が大きく持ち上げられることにより、弛みの解消に伴い作物は収容部材９７に収容された作物の存在する側に移動するので、収容袋９７の収容量が低下することが防止され、収容袋９７の交換頻度が下がり、作業能率が従来より向上する。  
また、操作ハンドル１１６（図２）を操作して、載置台１１２を前方または後方に下降させることにより、人参が収容された収容袋９７は自重で載置台１１２を滑り降りるので、収容袋９７を機体前側に降ろしたときは機体を後退させ、収容袋９７を機体後側に降ろしたときは機体を前進させることにより、約２００ｋｇの人参を収容した収容袋９７が収容部Ｇから降ろされて圃場に設置される。
【０１０９】
そして、収穫作業が終了すると、ハンガーアーム９５，９５を再び上限規制突起１０１（図５）に接触させ、選別搬送コンベア８７を最上位置まで上方回動させる。  
上記構成及び動作により、収容袋９７の機体外側には作業の開始から交換時まで殆ど弛みが生じないため、弛みに人参が入り込んで収容袋９７の収容量を減らしてしまうことが防止され、収容袋９７の交換の頻度が減り、作業能率が交換すると共に、作業者の労力が軽減される。
【０１１０】
従来の収容袋の取り付け方では、機体内外両側に弛みが生じるため、この弛みに人参が入り込み、収容袋が持ち上げられても弛みが取れなくなり、一回の収容量が減少し、収容袋の交換頻度が高くなっていた。  
また、従来は、収容袋９７に生じた弛みを選別搬送コンベア８７を上下動させて解消し、収容スペースを確保することはできたが、弛みを取る度に作業者は選別搬送コンベア８７を操作せねばならず、作業能率を低下させていた。特に選別を行う補助作業者の場合、操作中の選別精度が低下していた。  
そして、本発明の上記実施例では選別搬送コンベア８７の搬送終端部と収容袋９７の機体左右一側部との落差が常に略一定であるので、落下の衝撃で人参が傷付くことを防止でき、人参の商品価値が従来より向上する。
【０１１１】
さらに、通常はハンガーアーム９５，９５の回動を摩擦抵抗体９４，９４によって規制し、選別搬送コンベア８７を上昇させている間だけ、ハンガーアーム９５，９５が下方回動する構成としたことにより、収容袋９７の人参の収容量の変化に合わせて選別搬送コンベア８７を操作すると連動して吊下げハンガー９８，９８の機体内側を上方に移動させることができるので、収容袋９７の収容量を自動的に増大させられると共に、収容袋９７の機体内側の弛みが自動的に解消されるので、弛みを取るために選別搬送コンベア８７を上下動させる必要がなく、作業能率が格段に向上する。
【０１１２】
また、ハンガーアーム９５，９５の上方傾斜姿勢の限度を決める上限規制突起１０１を機体前側の第２搬送フレーム７８に設けたことにより、作業者はハンガーアーム９５，９５をセットする位置が分かりやすく、収容袋９７が満杯になるようにハンガーアーム９５，９５の位置を決めることができる。  
加えて、上限規制突起１０１が機体前側の第２搬送フレーム７８にのみ設けられたことにより、上限規制突起１０１は選別搬送コンベア８７で搬送中の人参の選別を行う補助作業者の作業範囲内に存在しないため、補助作業者が動作する際にぶつかったり衣服に引っ掛かったりすることが防止され、作業者の負担が軽減される。
【０１１３】
下限規制部材１００，１００は機体後側の第２搬送フレーム７８にも設けられるが、設けられる位置は吊下げハンガー９８，９８の機体内側端部が位置しており、しかも通常選別作業を終えている領域であるため、補助作業者の動作に干渉することはないので、問題はない。  
なお、作業者がハンガーアーム９５，９５を上段規制突起１０１に接触させ忘れることを防止するために、後側の第２搬送フレーム７８に注意書きを記しておくと、設定忘れが防止できる。
【０１１４】
そして、吊下げハンガー９８，９８の機体外側端部に外側吊下げ体９９ａ，９９ａを上方に向けて設け、機体内側端部に内側吊下げ体９９ｂ，９９ｂを設けたことにより、機体内側の吊下げフック９９ｆ，９９ｆが機体外側の吊下げフック９９ｆ，９９ｆよりも下方に位置するので、収容袋９７を設置した際に収容袋９７の機体外側と機体内側の上下高さの差が大きくなるので、収容袋９７の機体外側からいっそう人参がこぼれにくくなる。  
また、吊下げハンガー９８，９８の左右両端部を折り曲げて外側吊下げ体９９ａ及び内側吊下げ体９９ｂを形成すると、１本の棒材で構成することができるので、コストダウンを図ることができる。
【０１１５】
さらに、収容袋９７の前後方向略中央部の孔部に補助フック１０５を引っ掛けることにより、収容袋９７の機体内側の前後方向略中央部に生じる弛みを小さくすることができるので、人参が機体内側の弛みに入り込みにくく、収容スペースが十分に確保できる。  
そして、スライドノブ１０６（図５）を機体後方に引っ張ると、スライド軸１０３が機体後方に摺動して補助フック１０５が収容袋９７から外れるので、人参で満杯になった収容袋９７と選別搬送コンベア８７の搬送終端部の下方との間に生じる狭いスペースに手を進入させなくても補助フック１０５を外すことができるので、作業能率が従来より向上すると共に、作業者の労力が軽減される。
【０１１６】
また、ハンガーアーム９５，９５を上限規制突起１０１に接触させ、選別搬送コンベア８７を最上位置まで回動させると、吊下げハンガーが９８，９８が回動して吊下げハンガー９８，９８の機体外側端部が機体フレーム１の端部よりも内側に位置するので、機体フレーム１からはみ出した吊下げハンガー９８，９８が壁等にぶつかることがなく、機体の破損が防止される。
【０１１７】
また、排出シュータ８９の端部を収容袋９７の内側に垂れ下がらせたことにより、排出シュータ８９と収容袋９７との間の人参が落下し得る空間部がなくなるので、選別搬送コンベア８７から排出される人参が落下することを防止でき、人参の商品価値が従来より向上する。  
なお、この排出シュータ８９の機体前後方向の幅は、選別搬送コンベア８７の機体前後方向の幅と略同じにすると、上記の人参の落下防止効果がいっそう向上する。
【０１１８】
そして、収穫作業中は載置台１１２を機体左右他側に回動して収容袋９７の底部を支持できるとともに、作業終了後は機体左右一側に載置台１１２を回動させて折り畳むことができるので、機体の左右幅がコンパクトになり、機体を軽トラック等の搬送手段に載置しやすくできると共に、倉庫等の収容場所にスペースを取り過ぎることなく収容することができる。
【０１１９】
また、操作ハンドル１１６を操作して伸縮ロッド１１５を伸縮させ、載置台１１２を上下に回動させられるため、載置台１１２を下方に傾斜させて人参を満載した収容袋９７を下方に移動させた後、機体を後進させることによって収容袋９７を圃場に移動させることができるので、操縦者や補助作業者の労力が軽減されると共に作業能率が従来より向上する。
【０１２０】
なお、収容部Ｇの載置部フレーム１１０を前後逆方向に取り付け、他の構成部品を上記構成例とは前後方向反対向きに設けることによって、載置台１１２を機体後側に下方傾斜させ、人参を満載した収容袋９７を下方に移動させた後、機体を前進させることによって収容袋９７を圃場に移動させることができるので、操縦者や補助作業者の労力が軽減されると共に、機体を後進させる必要がなくなるのでいっそう作業能率が従来より向上する。
【０１２１】
ハンガーアーム９５，９５は選別搬送コンベア８７の昇降シリンダ８８の上昇動作に連動して図３、図６、図９に示すように段階的に傾斜姿勢から水平姿勢に変化するようにしているので人参の収穫を開始した時点では収容袋９７の機体外側が機体内側よりも上下方向に長くなるため、選別搬送コンベア８７の搬送終端部から排出される人参が搬送時の勢いで機体外側方向に飛ばされても、機体外側側の収容袋９７に当たって収容袋９７内に収容されるため、人参が機外に落下することが防止され、拾い集める手間がかからず作業者の労力が軽減される。
【０１２２】
また、人参の収容量が増え、選別搬送コンベア８７の搬送終端側を上昇させるとハンガーフレーム９６，９６が水平姿勢に近付くことにより、収容袋９７の機体内側と機体外側の上下高さの差が小さくなっていくので、収容袋９７内に積み上がった人参が収容袋９７の開口部から溢れ出ることが防止され、拾い集める手間がかからず作業者の労力が軽減される。  
さらに、機体を軽トラック等に積み込む際に、選別搬送コンベア８７の終端部を上方に回動させると吊下げハンガー９８，９８が水平姿勢となると共に、ハンガーフレーム９６，９６は機体内側方向（選別搬送コンベア８７の搬送始端側）まで回動するため、ハンガーフレーム９６，９６や吊下げハンガー９８，９８は機体フレーム１の左右幅内に位置するため、機体外側にはみ出す部材がなく、機体の積載作業が容易になるとともに、機体搬送中の安全性が従来より向上する（移動中、他の車両等に接触しないため）。
【０１２３】
図１２（ａ）と図１２（ｂ）に吊下げハンガー９８，９８の別実施例の構成を示す。図１２（ａ）に選別搬送コンベア８７と吊下げハンガー９８，９８の周辺の平面図を示し、図１２（ｂ）のその側面図を示すように選別搬送コンベア８７と吊下げハンガー９８，９８を固定側ハンガー９８ａ，９８ａと回動側ハンガー９８ｂ，９８ｂから構成し、固定側ハンガー９８ａ，９８ａと回動側ハンガー９８ｂ，９８ｂの一側端部の接合部を合わせてハンガーアーム９５，９５に装着し、吊下げハンガー９８，９８の取付部に抵抗体（皿バネなどからなる）１４０，１４０を設け、上方回動させた回動側ハンガー９８ｂ，９８ｂが収容袋９７に収容される作物の量に応じて下方回動する構成とすることもできる。
【０１２４】
回動側吊下げハンガー９８ｂ，９８ｂが上下回動自在であることにより、回動側吊下げハンガー９８ｂ，９８ｂを上方回動させると収容袋９７に生じた弛みをなくすることができるので、選別搬送コンベア８７から収容部材９７に投入された作物が弛んだ部分に入り込んで収容袋９７の総収容量を減らしてしまうことが防止されるので、収容袋９７を交換する頻度が減少し、作業能率が従来より向上する。
【０１２５】
このとき、固定側ハンガー９８ａ，９８ａと回動側ハンガー９８ｂ，９８ｂの回動自在の接続部に皿バネ１４０等を挟むことで、任意の位置で回動側ハンガー９８，９８ｂを固定でき一定の荷重が加わると自動で下がってくる。また、固定側ハンガー９８ａ，９８ａと回動側ハンガー９８ｂ，９８ｂの回動自在の接続部に皿バネ１４０，１４０を設けたことにより、回動側吊下げハンガー９８ｂ，９８ｂを上方回動させると回動した位置で停止するので、回動側吊下げハンガー９８ｂ，９８ｂに吊るした収容袋９７が壁となり、選別搬送コンベア８７の端部から飛び出した作物を収納袋９７内に受けることができ、収容袋９７の外に落下した作物を拾う作業が不要となり、作業者の労力が軽減されると共に、落下の衝撃で作物が傷付くことが防止され、作物の商品価値が維持される。  
そして、収容袋９７に作物が収容されて重量が増加すると回動側吊下げハンガー９８，９８が自動的に下降するので、作業者が回動側吊下げハンガー９８ｂ，９８ｂを操作する必要がなく、作業能率が従来より向上する。
【０１２６】
また、選別搬送コンベア８７よりも後方で且つ昇降シリンダ８８の伸張操作ペダル９２ａと収縮操作ペダル９２ｂの近傍に補助作業座席９１を配置した。この場合には、図６〜図８に示す実施例では選別搬送コンベア８７の機体前側で且つ下側にハンガーアーム９５，９５の上下動を行う摺動部材でありラック１２１と該ラック１２１を駆動するモータ１２２を配置し、補助作業座席９１の近傍に昇降操作ペダル９２ａ，９２ｂの切替スイッチ１２４を配置している。
【０１２７】
昇降シリンダ８８を昇降操作するペダル９２ａ，９２ｂを選別搬送コンベア８７の下側近傍に設けたことにより、選別搬送コンベア８７で搬送中の作物を選別する補助作業者がそのまま動くことなく昇降操作ペダル９２ａ，９２ｂを操作することができるので、選別搬送コンベア８７を昇降させる必要があれば即座に操作することができ、作業能率が従来より向上する。  
また、選別搬送コンベア８７よりも後方で且つ昇降操作ペダル９２ａ，９２ｂの近傍に補助作業座席９１に設けたことにより補助作業者が補助作業座席９１に座ったまま昇降操作ペダル９２ａ，９２ｂを操作できるので、長時間の作業を行う場合でも作業者が疲れにくく、同時に作業者の労力が軽減される。
【０１２８】
そして、選別搬送コンベア８７の機体前側で且つ下側にハンガーアーム９５，９５の上下動を行う摺動部材でありラック１２１と該ラック１２１を駆動するモータ１２２を配置したことにより、補助作業座席９１に作業者が座る際に作業者の足がラック１２１やモータ１２２に接触しないので、作業者が不快感を覚えることがなく作業能率が従来より向上すると共に、作業の安全性が確保される。  
また、選別搬送コンベア８７の機体前側で且つ下側にハンガーアーム９５，９５の上下動を行う摺動部材でありラック１２１と該ラック１２１を駆動するモータ１２２を配置したことにより、補助作業座席９１に作業者が座る際に作業者の足がラック１２１やモータ１２２に接触しないので、作業者が不快感を覚えることがなく作業能率が従来より向上すると共に、作業の安全性が確保される。  
さらに、補助作業座席９１の近傍に昇降操作ペダル９２ａ，９２ｂを配置したことにより、作業者はハンガーアーム９５，９５を上下動させる必要がある場合に切替スイッチ１２４を操作して収容袋９７の弛み部分をなくすことができるので、作業能率が従来より向上する。
【０１２９】
上記いずれの実施例においても昇降操作ペダル９２ａ，９２ｂを配置する場合には、該昇降操作ペダル９２ａ，９２ｂはシーソー式とし、ペダル９２ａ，９２ｂで「上げ」と「下げ」を同時出力しないようにしたので、矛盾する動作が同時に生じるおそれがなく、昇降シリンダ８８の急稼働や急加速することがない。  
また、補助作業座席９１に対して昇降操作ペダル９２ａ，９２ｂは機体左右方向へオフセット配置されているので、昇降操作ペダル９２ａ，９２ｂ上に両足を同時に置けないので安全である。ペダルユニット自体がガタ取り（操作とのタイムラグや無反応をなくす）効果を兼ねることができる。
【０１３０】
さらに昇降操作ペダル９２ａ，９２ｂのペダルユニットを補助作業座席９１のステップに対して任意位置へ動かすことができる構成とすると、補助作業者に都合のよい位置に昇降操作ペダル９２ａ，９２ｂを配置することができる。またいつでも配置換えをすることができる。  
また、昇降操作ペダル９２ａ，９２ｂの左右方向の中央部はペダル上面よりも下がった凹部形状とし、いちいち足下を見なくてもペダル９２ａ，９２ｂが分かりやすくして、その操作性をよくしている。  
また、通常、使用頻度の高い方のペダル９２ａまたは９２ｂを大きくて反対のペダル９２ｂまたは９２ａを小さくすることで優れた操作性が得られる。
【０１３１】
さらに昇降操作ペダル９２ａ，９２ｂのペダルユニットは機体前方を高く、後方を低くなるように傾斜配置することで、足が載せやすくなるので、長時間の作業を行う場合でも作業者が疲れにくく、また操作の際には足を乗せたままの姿勢で踏み込めばいいので、操作性が従来より向上する効果がある。  
また、反対に昇降操作ペダル９２ａ，９２ｂのペダルユニットは機体前方を低く、後方を高くすることで、操作するときだけ足を接触させるため、誤操作をしにくくなる効果がある。  
また、シーソー式の昇降操作ペダル９２ａ，９２ｂを前後方向へ配置してもよい。この場合は、ペダル９２ａ，９２ｂを機体左右方向で千鳥配置すると、踏み違いを防止することができる。
【０１３２】
上記昇降操作ペダル９２ａ，９２ｂのペダルアッセイを機体のステップ上ではなく、選別搬送コンベア８７の適切な箇所に移設して手動でもペダル操作可能にすると、ペダル９２ａ，９２ｂの操作性の幅が大幅に増える。  
また、昇降操作ペダル９２ａ，９２ｂのペダルアッセイを選別搬送コンベア８７の補助作業座席９１に着席している補助作業者がひざで押せる箇所に配置することでもペダル９２ａ，９２ｂの操作性の幅が広がる。
【符号の説明】
【０１３３】
１  機体フレーム              ２  駆動スプロケット
３  従動輪                    ４  転輪
５  ベルト                    ６  クローラ
７  エンジン                  ８  ミッションケース
９  ドライブシャフト          １０  操縦部フレーム
１１  操縦座席                １２  操縦パネル
１３  変速操作レバー          １４  昇降操作レバー
１５  引抜フレーム            １６  従動プーリ
１７  駆動プーリ              １８  挟持搬送ベルト
１９  テンションローラ        ２０  回動フレーム
２１  横軸                    ２２  伝動ケース
２３  昇降シリンダ            ２４  引抜搬送装置
２５  縦引起し装置            ２６  横引起し装置
２７  分草杆                  ２９  ハンドル
３０  伸縮ロッド              ３１  ゲージ輪
３２  シャフト                ３３  振動フレーム
３４  ソイラ                  ３５  尻尾切装置
３６  伝動軸                  ３７  伝動ケース
３８  第１ギアユニット        ３９  第２ギアユニット
４０  第１出力軸              ４１  第２出力軸
４２  位置揃え駆動スプロケット
４３  位置揃えフレーム        ４４  孔部
４５  従動スプロケット        ４６  左右回転軸
４７  テンションスプロケット
４８  位置揃えチェーン
４８ａ  リンク                ４９  受け板
５０  張圧バネ                ５１  ガイドカバー
５１ａ  凸状のＲ部            ５１ｂ  凹状のＲ部
５１ｃ  突出部                ５２  位置揃えガイド体
５３  テンションプレート      ５４  位置揃え装置
５５  スクレーパ              ５６  切断刃回転軸
５７  ベアリング              ５９  支持プレート
６０  茎葉切断刃              ６１  茎葉切断装置
６２  茎葉搬送駆動プーリ      ６３  茎葉搬送従動プーリ
６４  排葉搬送ベルト          ６５  排葉搬送装置
６６  残葉搬送駆動プーリ      ６７  残葉搬送従動プーリ
６８  残葉搬送テンションプーリ
６９  左右残葉搬送ベルト      ７０  残葉搬送装置
７１  排葉シュータ            ７２  残葉処理フレーム
７３ａ  第１残葉処理ローラ    ７３ｂ  第２残葉処理ローラ
７４  残葉処理ベルト          ７５  残葉処理ローラ
７６  残葉処理コンベア        ７７  第１搬送フレーム
７８  第２搬送フレーム        ７９  駆動スプロケット
８０  中継スプロケット        ８１  従動スプロケット
８２  伝動チェーン            ８４  搬送バー
８５  収容袋吊下げ装置        ８６  支持プレート
８７  選別搬送コンベア        ８８  昇降シリンダ（昇降部材）
８９  排出シュータ            ９０  搭乗ステップ
９１  補助作業座席
９２ａ  上昇踏みペダル（昇降操作部材）
９２ｂ  下降踏みペダル（昇降操作部材）
９３  回動シャフト            ９４  摩擦抵抗体（抵抗体）
９５  ハンガーアーム（吊下げ支持部材）
９６  ハンガーフレーム        ９７  収容部材
９８  吊下げハンガー（吊下げ部材）
９９ａ  外側吊下げ体（左右他側の取付孔部）
９９ｂ  内側吊下げ体（左右一側の取付孔部）
９９ｆ  吊下げフック（引掛け部材）
１００  下限規制突起          １０１  上限規制突起
１０２  調節ノブ              １０３  スライド軸
１０４  スプリング            １０５  補助フック（補助引掛け部材）
１０６  スライドノブ（操作部材）
１０９  前後支持プレート      １１０  載置部フレーム
１１０ａ  左右回動軸          １１１ａ  上下回動軸
１１２  載置台                １１３  後側支持プレート
１１４  回動プレート          １１５  伸縮ロッド
１１６  操作ハンドル          １１７  落下防止板
１１８  回収台                １２０  操作部材
１２１  摺動部材              １２２  駆動モータ
１２４  切替部材              １２６  ワイヤ
１２７  支持部                １２８  アーム
１３０  ローラ（滑車）          １３１  取っ手
１３５  連結アーム              １４０  抵抗体
１２４  切替スイッチ            １５０  オートスイッチ
Ａ  回動機構                    Ｂ  操縦部
Ｃ  収穫部                      Ｄ  茎葉切断部
Ｅ  残葉処理部                  Ｆ  選別搬送部
Ｇ  収容部                      Ｘ  回動支点
【図１】
0005736690.tif 000002
【図２】
0005736690.tif 000003
【図３】
0005736690.tif 000004
【図４】
0005736690.tif 000005
【図５】
0005736690.tif 000006
【図６】
0005736690.tif 000007
【図７】
0005736690.tif 000008
【図８】
0005736690.tif 000009
【図９】
0005736690.tif 000010
【図１０】
0005736690.tif 000011
【図１１】
0005736690.tif 000012
【図１２】
0005736690.tif 000013
【図１３】
0005736690.tif 000014
【図１４】
0005736690.tif 000015
【図１５】
0005736690.tif 000016
【図１６】
0005736690.tif 000017
【図１７】
0005736690.tif 000018
【図１８】
0005736690.tif 000019
【図１９】
0005736690.tif 000020